(57)【要約】【課題】１つの処理装置と１つの放射線変換器との対応付けを自動的に行って、該対応付けの作業を効率よく行うと共に、前記処理装置と前記放射線変換器との間の通信状態を確保して、放射線画像を安定して送受信する。【解決手段】放射線画像撮影システム１０は、被写体３２を透過した放射線３６を放射線画像に変換する放射線変換器３８と、前記放射線画像に対する処理が可能な処理装置２４、２６、２８と、前記放射線変換器３８及び／又は前記処理装置２４、２６、２８が複数ある場合に、最適な通信状態にある１つの放射線変換器と１つの処理装置とを選択し、選択した前記１つの放射線変換器と前記１つの処理装置とを対応付ける選択部８５とを備える。【選択図】図４
2010240381.tif 000002
【特許請求の範囲】
【請求項１】
被写体を透過した放射線を放射線画像に変換する放射線変換器と、
前記放射線画像に対する処理が可能な処理装置と、
前記放射線変換器及び／又は前記処理装置が複数ある場合に、最適な通信状態にある１つの放射線変換器と１つの処理装置とを選択し、選択した前記１つの放射線変換器と前記１つの処理装置とを対応付ける選択部と、
を備えることを特徴とする放射線画像撮影システム。
【請求項２】
請求項１記載のシステムにおいて、
前記放射線変換器は、外部との通信が可能な第１通信部を有し、
前記処理装置は、外部との通信が可能な第２通信部を有し、
前記選択部は、前記第１通信部と前記第２通信部との間の通信状態が最適な前記１つの放射線変換器と前記１つの処理装置とを選択し、選択した前記１つの放射線変換器と前記１つの処理装置とを対応付けた結果を報知信号として前記放射線画像撮影システム内の放射線変換器及び処理装置に送信することを特徴とする放射線画像撮影システム。
【請求項３】
請求項２記載のシステムにおいて、
前記選択部は、前記第１通信部と前記第２通信部との間で通信を行う際の送信強度、受信強度、伝送距離、通信速度、前記送信強度の時間変動、前記受信強度の時間変動及び符号誤り率のうちの少なくとも１つに基づいて、前記１つの放射線変換器と前記１つの処理装置とを選択することを特徴とする放射線画像撮影システム。
【請求項４】
請求項３記載のシステムにおいて、
前記選択部は、前記送信強度の時間平均が最大となる通信状態、前記受信強度の時間平均が最大となる通信状態、前記伝送距離が最短の通信状態、前記通信速度が最速となる通信状態、前記送信強度の時間変動が最小となる通信状態、前記受信強度の時間変動が最小となる通信状態及び前記符号誤り率が最も低い通信状態のうち少なくとも１つの通信状態での放射線変換器と処理装置とを、前記最適な通信状態にある前記１つの放射線変換器と前記１つの処理装置として選択することを特徴とする放射線画像撮影システム。
【請求項５】
請求項２〜４のいずれか１項に記載のシステムにおいて、
前記放射線変換器は、該放射線変換器を特定する識別情報を保持する識別情報保持部をさらに有し、
前記第１通信部は、前記識別情報及び前記放射線画像を外部に送信し、
前記１つの処理装置は、受信した前記識別情報が前記報知信号に示す前記１つの放射線変換器の識別情報であれば、前記識別情報と共に受信した前記放射線画像を処理することを特徴とする放射線画像撮影システム。
【請求項６】
請求項５記載のシステムにおいて、
前記処理装置は、前記識別情報を登録する識別情報登録部を有し、
前記１つの処理装置は、受信した前記識別情報と、前記識別情報登録部に登録された前記１つの放射線変換器の識別情報とが一致する場合に、前記放射線画像を処理することを特徴とする放射線画像撮影システム。
【請求項７】
請求項２〜６のいずれか１項に記載のシステムにおいて、
前記第１通信部及び前記第２通信部は、無線通信により信号の送受信を行うことが可能な無線送受信部を含むことを特徴とする放射線画像撮影システム。
【請求項８】
請求項２〜７のいずれか１項に記載のシステムにおいて、
複数の処理装置と１つの放射線変換器とがある場合に、
前記選択部は、前記各処理装置の第２通信部と前記１つの放射線変換器の第１通信部との間の各通信状態を比較して、前記各処理装置の中から前記１つの放射線変換器と最適な通信状態にある１つの処理装置を選択し、選択した前記１つの処理装置と前記１つの放射線変換器とを対応付け、対応付けた結果を前記報知信号として前記１つの放射線変換器及び前記各処理装置に送信する処理装置選択部であることを特徴とする放射線画像撮影システム。
【請求項９】
請求項８記載のシステムにおいて、
前記１つの放射線変換器は、前記処理装置選択部を有し、
前記処理装置選択部は、前記１つの放射線変換器の第１通信部に前記報知信号を出力し、
前記第１通信部は、前記報知信号を前記各処理装置の第２通信部に送信することを特徴とする放射線画像撮影システム。
【請求項１０】
請求項２〜７のいずれか１項に記載のシステムにおいて、
複数の放射線変換器と１つの処理装置とがある場合に、
前記選択部は、前記各放射線変換器の第１通信部と前記１つの処理装置の第２通信部との間の各通信状態を比較して、前記各放射線変換器の中から前記１つの処理装置と最適な通信状態にある１つの放射線変換器を選択し、選択した前記１つの放射線変換器と前記１つの処理装置とを対応付け、対応付けた結果を前記報知信号として前記１つの処理装置及び前記各放射線変換器に送信する放射線変換器選択部であることを特徴とする放射線画像撮影システム。
【請求項１１】
請求項１０記載のシステムにおいて、
前記１つの処理装置は、前記放射線変換器選択部を有し、
前記放射線変換器選択部は、前記１つの処理装置の第２通信部に前記報知信号を出力し、
前記第２通信部は、前記報知信号を前記各放射線変換器の第１通信部に送信することを特徴とする放射線画像撮影システム。
【請求項１２】
請求項２〜７のいずれか１項に記載のシステムにおいて、
複数の放射線変換器と複数の処理装置とがある場合に、
前記選択部は、前記各放射線変換器の第１通信部と前記各処理装置の第２通信部との間の各通信状態を比較して、最適な通信状態にある１つの放射線変換器と１つの処理装置とを少なくとも１組選択し、選択した前記少なくとも１組の１つの処理装置と１つの放射線変換器とを対応付け、対応付けた結果を前記報知信号として前記各放射線変換器及び前記各処理装置に送信することを特徴とする放射線画像撮影システム。
【請求項１３】
請求項１〜１２のいずれか１項に記載のシステムにおいて、
前記選択部による前記１つの放射線変換器と前記１つの処理装置との対応付けを、前記１つの放射線変換器と他の処理装置との対応付け、他の放射線変換器と前記１つの処理装置との対応付け、又は、他の放射線変換器と他の処理装置との対応付けに変更する変更部をさらに備えることを特徴とする放射線画像撮影システム。
【請求項１４】
請求項１３記載のシステムにおいて、
前記変更部は、
前記選択部による対応付けの結果を外部に出力する出力部と、
前記出力部からの出力結果に基づいて、前記選択部による対応付けを変更するための入力操作を行う入力操作部と、
を有することを特徴とする放射線画像撮影システム。
【請求項１５】
請求項１４記載のシステムにおいて、
前記処理装置は、前記変更部と、制御部と、所定の撮影条件を含む前記被写体の撮影のためのオーダ情報を登録するオーダ情報登録部と、前記撮影条件を登録する撮影条件登録部とを有し、
前記制御部は、前記選択部による対応付けの結果、あるいは、前記変更部による対応付けの変更結果に応じて、前記オーダ情報登録部に登録された前記オーダ情報及び前記撮影条件登録部に登録された前記撮影条件を変更し、
前記出力部は、前記選択部による対応付けの結果、あるいは、前記変更部による対応付けの変更結果を外部に表示する表示部であることを特徴とする放射線画像撮影システム。
【請求項１６】
請求項１〜１５のいずれか１項に記載のシステムにおいて、
所定の撮影条件に従って制御されることで前記放射線を前記被写体に照射する放射線源をさらに備えることを特徴とする放射線画像撮影システム。
【請求項１７】
被写体を透過した放射線を放射線画像に変換する複数の放射線変換器と、
前記放射線画像に対する処理が可能な複数の処理装置と、
前記各放射線変換器と前記各処理装置との間で、通信状態が良い順に優先順位を付けて、前記各放射線変換器と前記各処理装置とを対応付ける選択部と、
を備えることを特徴とする放射線画像撮影システム。
【請求項１８】
請求項１７記載のシステムにおいて、
前記各放射線変換器は、外部との通信が可能な第１通信部をそれぞれ有し、
前記各処理装置は、外部との通信が可能な第２通信部をそれぞれ有し、
前記選択部は、前記各第１通信部と前記各第２通信部との間で、通信状態が良い順に優先順位を付けて、前記各第１通信部と前記各第２通信部とを対応付け、対応付けた結果を報知信号として前記放射線画像撮影システム内の各放射線変換器及び各処理装置に送信することを特徴とする放射線画像撮影システム。
【請求項１９】
請求項１８記載のシステムにおいて、
前記各第１通信部と前記各第２通信部との間で、前記報知信号の示す前記優先順位に従って通信が行われる場合に、
前記各第１通信部及び前記各第２通信部は、所望の優先順位で対応付けられた第１通信部又は第２通信部が通信中であれば、前記優先順位よりも下位の順位で対応付けられた第１通信部又は第２通信部との間で通信を行うことを特徴とする放射線画像撮影システム。
【請求項２０】
被写体を透過した放射線を放射線画像に変換する放射線変換器において、
前記放射線画像に対する処理が可能な処理装置が複数ある場合に、複数の前記処理装置の中から最適な通信状態にある１つの処理装置を選択し、選択した前記１つの処理装置と前記放射線変換器とを対応付ける選択部を有することを特徴とする放射線変換器。
【請求項２１】
被写体を透過した放射線を放射線画像に変換する放射線変換器において、
前記放射線変換器と、前記放射線画像に対する処理が可能な処理装置とが複数ある場合に、前記各放射線変換器と前記各処理装置との間で、通信状態が良い順に優先順位を付けて、前記各放射線変換器と前記各処理装置とを対応付ける選択部を有することを特徴とする放射線変換器。
【請求項２２】
放射線画像に対する処理が可能な処理装置において、
被写体を透過した放射線を前記放射線画像に変換する放射線変換器が複数ある場合に、複数の前記放射線変換器の中から最適な通信状態にある１つの放射線変換器を選択し、選択した前記１つの放射線変換器と前記処理装置とを対応付ける選択部を有することを特徴とする処理装置。
【請求項２３】
放射線画像に対する処理が可能な処理装置において、
前記処理装置と、被写体を透過した放射線を前記放射線画像に変換する放射線変換器とが複数ある場合に、前記各放射線変換器と前記各処理装置との間で、通信状態が良い順に優先順位を付けて、前記各放射線変換器と前記各処理装置とを対応付ける選択部を有することを特徴とする処理装置。
【請求項２４】
被写体を透過した放射線を放射線画像に変換する放射線変換器と、前記放射線画像に対する処理が可能な処理装置とのうち少なくとも一方が複数ある場合に、最適な通信状態にある１つの放射線変換器と１つの処理装置とを選択し、選択した前記１つの放射線変換器と前記１つの処理装置とを対応付けることを特徴とする放射線変換器及び処理装置の選択装置。
【請求項２５】
被写体を透過した放射線を放射線画像に変換する放射線変換器と、前記放射線画像に対する処理が可能な処理装置とが複数ある場合に、前記各放射線変換器と前記各処理装置との間で、通信状態が良い順に優先順位を付けて、前記各放射線変換器と前記各処理装置とを対応付けることを特徴とする放射線変換器及び処理装置の選択装置。
【請求項２６】
被写体を透過した放射線を放射線画像に変換する放射線変換器と、前記放射線画像に対する処理が可能な処理装置とのうち少なくとも一方が複数ある場合に、選択装置に実行させるプログラムであって、
最適な通信状態にある１つの放射線変換器と１つの処理装置とを選択するステップと、
選択した前記１つの放射線変換器と前記１つの処理装置とを対応付けるステップと、
を有することを特徴とするプログラム。
【請求項２７】
被写体を透過した放射線を放射線画像に変換する放射線変換器と、前記放射線画像に対する処理が可能な処理装置とが複数ある場合に、選択装置に実行させるプログラムであって、
前記各放射線変換器と前記各処理装置との間で、通信状態が良い順に優先順位を付けて、前記各放射線変換器と前記各処理装置とを対応付けるステップを有することを特徴とするプログラム。
【請求項２８】
被写体を透過した放射線を放射線画像に変換する放射線変換器と、前記放射線画像に対する処理が可能な処理装置とのうち少なくとも一方が複数ある場合に、
最適な通信状態にある１つの放射線変換器と１つの処理装置とを選択し、
選択した前記１つの放射線変換器と前記１つの処理装置とを対応付けることを特徴とする放射線変換器及び処理装置の選択方法。
【請求項２９】
被写体を透過した放射線を放射線画像に変換する放射線変換器と、前記放射線画像に対する処理が可能な処理装置とが複数ある場合に、
前記各放射線変換器と前記各処理装置との間で、通信状態が良い順に優先順位を付けて、前記各放射線変換器と前記各処理装置とを対応付けることを特徴とする放射線変換器及び処理装置の選択方法。
【請求項３０】
放射線変換器と処理装置とのうち少なくとも一方が複数ある場合に、最適な通信状態にある１つの放射線変換器と１つの処理装置とを選択して、選択した前記１つの放射線変換器と前記１つの処理装置とを対応付け、
被写体を透過した放射線を、選択された前記１つの放射線変換器により放射線画像に変換して前記１つの処理装置に送信し、
前記１つの処理装置により前記放射線画像を処理することを特徴とする放射線画像撮影方法。
【請求項３１】
放射線変換器と処理装置とが複数ある場合に、前記各放射線変換器と前記各処理装置との間で、通信状態が良い順に優先順位を付けて、前記各放射線変換器と前記各処理装置とを対応付け、
被写体を透過した放射線を、対応付けた前記放射線変換器により放射線画像に変換して前記処理装置に送信し、
前記処理装置により前記放射線画像を処理することを特徴とする放射線画像撮影方法。
【発明の詳細な説明】
【技術分野】
【０００１】
本発明は、放射線変換器及び／又は処理装置が複数ある場合に、１つの放射線変換器及び１つの処理装置を選択する選択装置及び選択方法と、該選択装置に実行させるプログラムに関する。
【０００２】
また、本発明は、選択した１つの放射線変換器により被写体を透過した放射線を放射線画像に変換し、１つの処理装置により前記放射線画像を処理する放射線画像撮影システム及び放射線画像撮影方法に関する。
【０００３】
さらに、本発明は、複数の処理装置から１つの処理装置を選択する放射線変換器と、複数の放射線変換器から１つの放射線変換器を選択する処理装置とに関する。
【背景技術】
【０００４】
例えば、病院等の医療機関においては、下記の放射線画像撮影システムが構築されている。この放射線画像撮影システムにおいて、医師は、被写体の所望の放射線画像を取得するため、ＲＩＳ（Ｒａｄｉｏｌｏｇｙ  Ｉｎｆｏｒｍａｔｉｏｎ  Ｓｙｓｔｅｍ）を用いて、当該被写体の氏名、性別、年齢等の被写体情報、撮影方法、撮影部位、使用する撮影装置、該当する撮影部位に照射する放射線量を決定するための曝射条件等の撮影条件を設定する。これらの情報は、放射線科に設置されたコンソール（処理装置）に供給される。一方、現場の技師が処理装置を操作すると、指定された撮影装置が曝射条件に従って制御され、前記被写体の放射線画像が取得される。前記放射線画像は、所定の画像処理が施された後、医師による読影診断を行うビューアに供給される。
【０００５】
ところで、規模の大きな医療機関の放射線科には、撮影装置を構成する放射線源が各撮影室にそれぞれ設置され、前記各撮影室には、処理装置がそれぞれ設置されている。この場合、技師は、任意の撮影室に放射線変換器を持ち込んで、該放射線変換器を被写体に対する所定位置に配置する。これにより、当該撮影室内の放射線源は、処理装置により設定された撮影条件に従って前記被写体に放射線を照射する。従って、前記放射線変換器は、前記被写体を通過した前記放射線を放射線画像に変換して前記処理装置に送信する。前記処理装置は、受信した前記放射線画像に対して画像処理を行う。その際、前記放射線変換器と前記処理装置とが正しく関連付けられていないと、被写体に対する適切な放射線画像を取得することができない。
【０００６】
そこで、特許文献１には、技師が処理装置の入力操作部を入力操作することにより、複数の処理装置の中から１つの処理装置を選択し、選択した前記１つの処理装置と、１つの放射線変換器とを対応付けることが提案されている。
【先行技術文献】
【特許文献】
【０００７】
【特許文献１】特開２００６−２４７１４１号公報
【発明の概要】
【発明が解決しようとする課題】
【０００８】
しかしながら、特許文献１の技術では、技師が１つの処理装置と１つの放射線変換器との対応付けを行っているので、該処理装置を自動的に選択することができない。そのため、前記技師による前記対応付けの作業に手間がかかり、該対応付けを効率よく行うことができない。
【０００９】
また、前記１つの処理装置と１つの放射線変換器との間で放射線画像を送受信できる程度の通信状態が確保されていなければ、前記１つの処理装置と前記１つの放射線変換器との間で対応付けが取れたとしても、前記放射線画像の安定した送受信を行うことができない。この結果、前記１つの処理装置は、被写体に対応した適切な放射線画像を取得することができない。
【００１０】
上記の説明では、一例として、複数の処理装置中の１つの処理装置と１つの放射線変換器とを対応付ける場合の不具合について説明した。しかしながら、実際には、この説明に限らず、複数の放射線変換器中の１つの放射線変換器と１つの処理装置とを対応付ける場合や、複数の放射線変換器中の１つの放射線変換器と複数の処理装置中の１つの処理装置とを対応付ける場合にも、同様の不具合が発生するものと予想される。
【００１１】
本発明の目的は、１つの処理装置と１つの放射線変換器との対応付けを自動的に行って、該対応付けの作業を効率よく行うと共に、前記処理装置と前記放射線変換器との間の通信状態を確保して、放射線画像を安定して送受信することにある。
【課題を解決するための手段】
【００１２】
上記の目的を達成するために、本発明は、下記の特徴を備えている。
【００１３】
すなわち、本発明に係る放射線変換器及び処理装置の選択装置は、
被写体を透過した放射線を放射線画像に変換する放射線変換器と、前記放射線画像に対する処理が可能な処理装置とのうち少なくとも一方が複数ある場合に、最適な通信状態にある１つの放射線変換器と１つの処理装置とを選択し、選択した前記１つの放射線変換器と前記１つの処理装置とを対応付けることを特徴としている。
【００１４】
また、本発明に係るプログラムは、被写体を透過した放射線を放射線画像に変換する放射線変換器と、前記放射線画像に対する処理が可能な処理装置とのうち少なくとも一方が複数ある場合に、選択装置に実行させるプログラムであって、
最適な通信状態にある１つの放射線変換器と１つの処理装置とを選択するステップと、選択した前記１つの放射線変換器と前記１つの処理装置とを対応付けるステップとを有することを特徴としている。
【００１５】
さらに、本発明に係る放射線変換器及び処理装置の選択方法は、
被写体を透過した放射線を放射線画像に変換する放射線変換器と、前記放射線画像に対する処理が可能な処理装置とのうち少なくとも一方が複数ある場合に、
最適な通信状態にある１つの放射線変換器と１つの処理装置とを選択し、選択した前記１つの放射線変換器と前記１つの処理装置とを対応付けることを特徴としている。
【００１６】
さらにまた、本発明に係る放射線画像撮影システムは、
被写体を透過した放射線を放射線画像に変換する放射線変換器と、
前記放射線画像に対する処理が可能な処理装置と、
前記放射線変換器及び／又は前記処理装置が複数ある場合に、最適な通信状態にある１つの放射線変換器と１つの処理装置とを選択し、選択した前記１つの放射線変換器と前記１つの処理装置とを対応付ける選択部と、
を備えることを特徴としている。
【００１７】
また、本発明に係る放射線画像撮影方法は、被写体を透過した放射線を、上記の選択方法により選択された１つの放射線変換器により放射線画像に変換して１つの処理装置に送信し、前記１つの処理装置により前記放射線画像を処理することを特徴としている。
【００１８】
さらに、本発明に係る放射線変換器は、被写体を透過した放射線を放射線画像に変換する放射線変換器において、
前記放射線画像に対する処理が可能な処理装置が複数ある場合に、複数の前記処理装置の中から最適な通信状態にある１つの処理装置を選択し、選択した前記１つの処理装置と前記放射線変換器とを対応付ける選択部を有することを特徴としている。
【００１９】
さらにまた、本発明に係る処理装置は、放射線画像に対する処理が可能な処理装置において、
被写体を透過した放射線を前記放射線画像に変換する放射線変換器が複数ある場合に、複数の前記放射線変換器の中から最適な通信状態にある１つの放射線変換器を選択し、選択した前記１つの放射線変換器と前記処理装置とを対応付ける選択部を有することを特徴としている。
【００２０】
上述した各発明によれば、最適な通信状態にある１つの放射線変換器と１つの処理装置とを選択部又は選択装置が自動的に選択し、選択した前記１つの放射線変換器と前記１つの処理装置とを自動的に対応付ける。これにより、技師による対応付けの作業が不要となり、該対応付けを効率よく行うことができる。
【００２１】
また、最適な通信状態にある前記１つの放射線変換器と前記１つの処理装置とを選択するので、前記１つの放射線変換器と前記１つの処理装置との間の通信状態が確保されて、放射線画像を安定に送受信することが可能となる。
【００２２】
一方、本発明では、複数の放射線変換器と複数の処理装置とがある場合には、これらの放射線変換器及び処理装置を通信状態が良い順に優先順位を付けて対応付けることも可能である。
【００２３】
すなわち、本発明に係る放射線変換器及び処理装置の選択装置は、
被写体を透過した放射線を放射線画像に変換する放射線変換器と、前記放射線画像に対する処理が可能な処理装置とが複数ある場合に、前記各放射線変換器と前記各処理装置との間で、通信状態が良い順に優先順位を付けて、前記各放射線変換器と前記各処理装置とを対応付けることを特徴としている。
【００２４】
また、本発明に係るプログラムは、
被写体を透過した放射線を放射線画像に変換する放射線変換器と、前記放射線画像に対する処理が可能な処理装置とが複数ある場合に、選択装置に実行させるプログラムであって、
前記各放射線変換器と前記各処理装置との間で、通信状態が良い順に優先順位を付けて、前記各放射線変換器と前記各処理装置とを対応付けるステップを有することを特徴としている。
【００２５】
さらに、本発明に係る放射線変換器及び処理装置の選択方法は、
被写体を透過した放射線を放射線画像に変換する放射線変換器と、前記放射線画像に対する処理が可能な処理装置とが複数ある場合に、
前記各放射線変換器と前記各処理装置との間で、通信状態が良い順に優先順位を付けて、前記各放射線変換器と前記各処理装置とを対応付けることを特徴としている。
【００２６】
さらにまた、本発明に係る放射線画像撮影システムは、
被写体を透過した放射線を放射線画像に変換する複数の放射線変換器と、
前記放射線画像に対する処理が可能な複数の処理装置と、
前記各放射線変換器と前記各処理装置との間で、通信状態が良い順に優先順位を付けて、前記各放射線変換器と前記各処理装置とを対応付ける選択部と、
を備えることを特徴としている。
【００２７】
また、本発明に係る放射線画像撮影方法は、被写体を透過した放射線を、上記の選択方法により対応付けた放射線変換器により放射線画像に変換して処理装置に送信し、前記処理装置により前記放射線画像を処理することを特徴としている。
【００２８】
さらに、本発明に係る放射線変換器は、被写体を透過した放射線を放射線画像に変換する放射線変換器において、
前記放射線変換器と、前記放射線画像に対する処理が可能な処理装置とが複数ある場合に、前記各放射線変換器と前記各処理装置との間で、通信状態が良い順に優先順位を付けて、前記各放射線変換器と前記各処理装置とを対応付ける選択部を有することを特徴としている。
【００２９】
さらにまた、本発明に係る処理装置は、放射線画像に対する処理が可能な処理装置において、
前記処理装置と、被写体を透過した放射線を前記放射線画像に変換する放射線変換器とが複数ある場合に、前記各放射線変換器と前記各処理装置との間で、通信状態が良い順に優先順位を付けて、前記各放射線変換器と前記各処理装置とを対応付ける選択部を有することを特徴としている。
【００３０】
上述した各発明によれば、選択部又は選択装置が、複数の放射線変換器と複数の処理装置との対応付けを、通信状態の良い順に優先順位を付けて行う。これにより、技師による対応付けの作業が不要となり、該対応付けを効率よく行うことができる。
【００３１】
また、通信状態の良い順に優先順位を付けて対応付けを行うので、前記各放射線変換器と前記各処理装置との間の通信状態が確保されて、放射線画像を安定に送受信することが可能となる。
【発明の効果】
【００３２】
本発明によれば、最適な通信状態にある１つの放射線変換器と１つの処理装置とを選択部又は選択装置が自動的に選択し、選択した前記１つの放射線変換器と前記１つの処理装置とを自動的に対応付けるので、技師による対応付けの作業が不要となり、該対応付けを効率よく行うことができる。
【００３３】
この場合、最適な通信状態にある前記１つの放射線変換器と前記１つの処理装置とを選択するので、前記１つの放射線変換器と前記１つの処理装置との間の通信状態が確保されて、放射線画像を安定に送受信することが可能となる。
【図面の簡単な説明】
【００３４】
【図１】本実施形態に係る放射線画像撮影システムのブロック図である。
【図２】図１の放射線変換器の概略構成図である。
【図３】図２の放射線変換パネルの回路構成図である。
【図４】図１の放射線画像撮影システムの一部の構成ブロック図である。
【図５】図１の放射線画像撮影システムの一部の構成ブロック図である。
【図６】図６Ａは、１つのコンソールの選択を説明するためのブロック図であり、図６Ｂは、１つの放射線変換器の選択を説明するためのブロック図である。
【図７】図７Ａは、１つのコンソールの選択を説明するためのブロック図であり、図７Ｂは、１つの放射線変換器の選択を説明するためのブロック図である。
【図８】図８Ａ及び図８Ｂは、１つの放射線変換器と１つのコンソールとの選択を説明するためのブロック図である。
【図９】図１の放射線画像撮影システムの一部の他の構成ブロック図である。
【図１０】図１０Ａは、１つのコンソールの選択を説明するためのブロック図であり、図１０Ｂは、１つの放射線変換器と１つのコンソールとの選択を説明するためのブロック図である。
【図１１】図１の放射線画像撮影システムの一部の他の構成ブロック図である。
【図１２】図１２Ａは、１つの放射線変換器の選択を説明するためのブロック図であり、図１２Ｂは、１つの放射線変換器と１つのコンソールとの選択を説明するためのブロック図である。
【図１３】本実施形態に係る放射線画像撮影システムの動作を示すフローチャートである。
【図１４】図１３のフローチャートを一部変更したフローチャートである。
【図１５】図１３のフローチャートを一部変更したフローチャートである。
【発明を実施するための形態】
【００３５】
図１は、本実施形態に係る放射線画像撮影システム１０のブロック図である。
【００３６】
放射線画像撮影システム１０は、病院内の医療事務処理を管理する医事情報システム（ＨＩＳ：Ｈｏｓｐｉｔａｌ  Ｉｎｆｏｒｍａｔｉｏｎ  Ｓｙｓｔｅｍ）１２と、ＨＩＳ１２の管理下において、放射線科での放射線画像の撮影処理を管理する放射線科情報システム（ＲＩＳ）１４と、医師による読影診断を行うためのビューア１６と、放射線科の複数の撮影室１８、２０、２２に隣接する各処理室に設置され、撮影装置３４や放射線変換器３８を管理制御するコンソール（処理装置）２４、２６、２８とを備え、これらが院内ネットワーク３０によって相互に接続されている。
【００３７】
撮影室１８には、臥位状態の被写体３２の撮影を行う撮影装置３４と、撮影装置３４で使用する放射線変換器３８（カセッテ）の充電処理を行うクレードル４０とが設置される。撮影装置３４は、撮影台４２と、撮影台４２に載置される放射線変換器３８に対して被写体３２を介して放射線３６を照射する放射線発生装置４４とを備える。なお、他の撮影室２０、２２にも、同様にして、任意の撮影装置及びクレードルが設置される。
【００３８】
図２は、撮影装置３４に用いられる放射線変換器３８の概略構成図である。
【００３９】
放射線変換器３８は、放射線３６を透過させる材料からなるケーシング４６を有し、ケーシング４６の内部には、放射線３６が照射されるケーシング４６の照射面側から、被写体３２による放射線３６の散乱線を除去するグリッド４８、被写体３２を透過した放射線３６を電荷情報に変換する放射線変換パネル５０、及び、放射線３６のバック散乱線を吸収する鉛板５２が順に配設される。なお、ケーシング４６の照射面をグリッド４８としてもよい。
【００４０】
ケーシング４６の内部には、放射線変換器３８の電源であるバッテリ５４と、バッテリ５４から供給される電力により放射線変換器３８を駆動制御する制御部５６と、放射線変換器３８によって変換された被写体３２の放射線画像を撮影室１８に接続されたコンソール２４に送信する送受信部（第１通信部、無線送受信部）５８とが収容される。また、ケーシング４６の側部には、放射線変換器３８を起動するための電源スイッチ６０が配設される。
【００４１】
なお、送受信部５８は、コンソール２４、２６、２８の送受信部９６（図４参照）との間で、ＵＷＢ（Ｕｌｔｒａ  Ｗｉｄｅ  Ｂａｎｄ）又は無線ＬＡＮ（Ｌｏｃａｌ  Ａｒｅａ  Ｎｅｔｗｏｒｋ）を用いた無線通信による信号の送受信を行うことが可能である。
【００４２】
図３は、図２の放射線変換パネル５０の回路構成図である。
【００４３】
放射線変換パネル５０は、放射線３６（図１及び図２参照）を感知して電荷を発生させるアモルファスセレン（ａ−Ｓｅ）等の物質からなる光電変換層６２を行列状の薄膜トランジスタ（ＴＦＴ：Ｔｈｉｎ  Ｆｉｌｍ  Ｔｒａｎｓｉｓｔｏｒ）６４のアレイの上に配置した構造を有し、発生した電荷を蓄積容量６６に蓄積した後、各行毎にＴＦＴ６４を順次オンにして、電荷を画像信号として読み出す。図３では、光電変換層６２及び蓄積容量６６からなる１つの画素６８と１つのＴＦＴ６４との接続関係のみを示し、その他の画素６８の構成については省略している。なお、アモルファスセレンは、高温になると構造が変化して機能が低下してしまうため、所定の温度範囲内で使用する必要がある。従って、撮影台４２内に放射線変換パネル５０を冷却する手段を配設することが好ましい。
【００４４】
各画素６８に接続されるＴＦＴ６４には、行方向と平行に延びるゲート線７０と、列方向と平行に延びる信号線７２とが接続される。各ゲート線７０は、ライン走査駆動部７４に接続され、各信号線７２は、読取回路を構成するマルチプレクサ７６に接続される。
【００４５】
ゲート線７０には、行方向に配列されたＴＦＴ６４をオンオフ制御する制御信号Ｖｏｎ、Ｖｏｆｆがライン走査駆動部７４から供給される。この場合、ライン走査駆動部７４は、ゲート線７０を切り替える複数のスイッチＳＷ１と、スイッチＳＷ１の１つを選択する選択信号を出力するアドレスデコーダ７８とを備える。アドレスデコーダ７８には、制御部５６からアドレス信号が供給される。
【００４６】
また、信号線７２には、列方向に配列されたＴＦＴ６４を介して各画素６８の蓄積容量６６に保持されている電荷が流出する。この電荷は、増幅器８０によって増幅される。増幅器８０には、サンプルホールド回路８２を介してマルチプレクサ７６が接続される。マルチプレクサ７６は、信号線７２を切り替える複数のスイッチＳＷ２と、スイッチＳＷ２の１つを選択する選択信号を出力するアドレスデコーダ８４を備える。アドレスデコーダ８４には、制御部５６からアドレス信号が供給される。マルチプレクサ７６には、Ａ／Ｄ変換器８６が接続され、Ａ／Ｄ変換器８６によってデジタル信号に変換された放射線画像が制御部５６に供給される。制御部５６は、取得した放射線画像を送受信部５８を介して無線通信によりコンソール２４に供給する。
【００４７】
なお、スイッチング素子として機能するＴＦＴ６４は、ＣＭＯＳ（Ｃｏｍｐｌｅｍｅｎｔａｒｙ  Ｍｅｔａｌ−Ｏｘｓｉｄｅ  Ｓｅｍｉｃｏｎｄｕｃｔｏｒ）イメージセンサ等、他の撮像素子と組み合わせて実現してもよい。さらにまた、ＴＦＴで言うところのゲート信号に相当するシフトパルスにより電荷をシフトしながら転送するＣＣＤ（Ｃｈａｒｇｅ−Ｃｏｕｐｌｅｄ  Ｄｅｖｉｃｅ）イメージセンサに置き換えることも可能である。
【００４８】
図４は、コンソール２４、及び、コンソール２４によって管理される撮影室１８内の撮影装置３４の構成ブロック図である。なお、コンソール２６、２８及び撮影室２０、２２も同様に構成される。
【００４９】
撮影装置３４を構成する放射線変換器３８は、放射線変換パネル５０からの放射線画像を画像信号として記憶する画像メモリ９２と、放射線変換器３８を特定するＩＤ情報（識別情報）を記憶するＩＤメモリ（識別情報保持部）９４とを備える。
【００５０】
コンソール２４は、院内ネットワーク３０を介して、ＨＩＳ１２、ＲＩＳ１４、ビューア１６、コンソール２６、２８との間で信号の送受信を行うと共に、撮影室１８内の撮影装置３４との間で信号の送受信を行う送受信部（第２通信部、無線送受信部）９６を有する。また、コンソール２４は、制御部９８により制御される。
【００５１】
制御部９８には、オーダ情報記憶部（オーダ情報登録部）１００と、撮影条件記憶部（撮影条件登録部）１０２と、画像処理部１０４と、ＩＤメモリ（識別情報登録部）１０６と、入力操作部１０８と、表示部（出力部）１１０とが接続される。
【００５２】
そして、放射線変換器３８の送受信部５８と、コンソール２４（２６、２８）の送受信部９６とには、選択部（選択装置）８５が接続されている。選択部８５は、放射線源８７から被写体３２への放射線３６の照射が行われる前（撮影前）に、図示しないメモリに格納されたプログラムを実行することにより、放射線画像撮影システム１０内で最適な通信状態にある１つの放射線変換器と１つのコンソールとを選択し、選択した１つの放射線変換器と１つのコンソールとを対応付け、対応付けた結果を報知信号として、放射線画像撮影システム１０内の放射線変換器３８及びコンソール２４、２６、２８に送信する。なお、図４において、選択部８５は、有線を介して送受信部５８、９６に接続されているが、図５に示すように、無線を介して送受信部５８、９６に接続されていてもよい。
【００５３】
ここで、図４〜図１２Ｂを参照しながら、選択部８５と、放射線変換器３８に備わり且つ選択部８５の機能を有するコンソール探索部（選択部）９０と、コンソール２４、２６、２８に備わり且つ選択部８５の機能を有する放射線変換器探索部（選択部）９１とを説明する。
【００５４】
図６Ａ〜図８Ｂは、選択部８５による放射線変換器とコンソールとの対応付けを模式的に説明したブロック図である。なお、図６Ａ〜図８Ｂでは、例示的に、１つの放射線変換器３８（３８ａ〜３８ｃ）と３つのコンソール２４、２６、２８との関係、３つの放射線変換器３８ａ〜３８ｃと１つのコンソール２４（２６、２８）との関係、及び、３つの放射線変換器３８ａ〜３８ｃと３つのコンソール２４、２６、２８との関係を図示しているが、対応付けが行われる放射線変換器及びコンソールの各個数は、これらの図面に示された個数に限定されないことは勿論である。
【００５５】
また、図６Ａ〜図８Ｂ中、選択部８５と放射線変換器３８（３８ａ〜３８ｃ）とを接続する直線と、選択部８５とコンソール２４（２６、２８）とを接続する直線とは、それぞれ実線で示している。これらの実線は、選択部８５と放射線変換器３８（３８ａ〜３８ｃ）との間、及び、選択部８５とコンソール２４（２６、２８）との間での送信信号又は受信信号の入出力関係を示すための直線であり、有線又は無線を示しているものではない。従って、図６Ａ〜図８Ｂの各例に示す対応付けは、選択部８５と放射線変換器３８（３８ａ〜３８ｃ）との間、及び、選択部８５とコンソール２４（２６、２８）との間の送信信号又は受信信号の送受信が有線（図４参照）又は無線（図５参照）のどちらによるものであっても適用可能である。
【００５６】
図６Ａ及び図７Ａの場合、選択部８５は、複数のコンソール２４、２６、２８の中から１つの放射線変換器３８と最適な通信状態にある１つのコンソールを選択し、選択した１つのコンソールと１つの放射線変換器３８とを対応付ける。図６Ｂ及び図７Ｂの場合、選択部８５は、複数の放射線変換器３８ａ〜３８ｃの中から１つのコンソール２４（２６、２８）と最適な通信状態にある１つの放射線変換器を選択し、選択した１つの放射線変換器と１つのコンソール２４（２６、２８）とを対応付ける。図８Ａ及び図８Ｂの場合、選択部８５は、複数の放射線変換器３８ａ〜３８ｃと複数のコンソール２４、２６、２８との中から最適な通信状態にある１つの放射線変換器と１つのコンソールとを選択し、選択した１つの放射線変換器と１つのコンソールとを対応付ける。なお、図８Ａ及び図８Ｂの場合には、３つの放射線変換器３８ａ〜３８ｃと３つのコンソール２４、２６、２８とがあるので、対応付けられた１つの放射線変換器と１つのコンソールとの組み合わせが最大で３組あってもよいことは勿論である。
【００５７】
ここで、図６Ａ〜図８Ｂの各例において選択部８５が行う、最適な通信状態にある１つの放射線変換器と１つのコンソールとの選択について、より具体的に説明する。
【００５８】
先ず、図６Ａの例において、選択部８５が図示しないスペクトラムアナライザ等の信号計測手段を具備していれば、選択部８５は、撮影前に、放射線変換器３８の送受信部５８（図４及び図５参照）に計測用の送信信号を送信する。送受信部５８は、受信した送信信号を電波として放射する。コンソール２４、２６、２８の送受信部９６は、受信した電波を受信信号に変換して選択部８５に送信する。
【００５９】
この場合、選択部８５では、各送受信部９６で得られた受信信号の信号レベルの大きさ、送信信号及び受信信号より得られる送受信部５８、９６間の伝送距離、送信信号及び受信信号より得られる送受信部５８、９６間の通信速度（ビットレート）、受信信号の信号レベルの時間変動、送信信号及び受信信号より得られる符号誤り率（ビットエラーレート、ＢＥＲ）のうちの少なくとも１つに基づいて、１つのコンソールを選択する。
【００６０】
具体的に、受信信号の信号レベルの大きさに基づいて１つのコンソールを選択する場合、選択部８５は、信号レベルの時間平均が最大の受信信号を送信してきたコンソールを１つのコンソールとして選択する。この場合、送受信部５８と各送受信部９６との間の電波状況等により受信信号が時間的に変動する可能性があるので、選択部８５は、送受信部５８に対して所定時間内に送信信号を複数回送信して送受信部５８から各コンソール２４、２６、２８の送受信部９６への複数回の無線通信を行わせ、各送受信部９６で得られた受信信号の特定周波数での信号レベル（受信電界強度）を測定して、測定した受信電界強度の時間平均が最大のコンソールを、１つのコンソールとして選択する。
【００６１】
また、送信信号及び受信信号より得られる送受信部５８、９６間の伝送距離に基づいて１つのコンソールを選択する場合、選択部８５は、最短の伝送距離を示す受信信号を送信してきたコンソールを１つのコンソールとして選択する。この場合、選択部８５は、特定の長さのデータの送信信号を送受信部５８に送信して送受信部５８から各コンソール２４、２６、２８の送受信部９６への無線通信を行わせ、受信完了時間（この場合は、送受信部５８に対する送信信号の送信開始時点から送受信部９６における受信信号の受信完了時点までの時間）が最も短い受信信号を送信してきたコンソールを、伝送距離が最短となる１つのコンソールとして選択する。すなわち、伝送距離が長ければ、受信完了時間も長くなるので、選択部８５は、最も短い受信完了時間の受信信号を、最短の伝送距離を示す受信信号と判定する。
【００６２】
さらに、送受信部５８、９６間のビットレートに基づいて１つのコンソールを選択する場合、選択部８５は、最速のビットレートを示す受信信号を送信してきたコンソールを１つのコンソールとして選択する。
【００６３】
例えば、技師が撮影室１８（２０、２２）に放射線変換器３８（３８ａ〜３８ｃ）を持ち込んだ場合、放射線変換器３８とコンソール２４、２６、２８との位置関係が変わって、放射線変換器３８とコンソール２４、２６、２８との間の通信状態が変化する。
【００６４】
そこで、選択部８５は、技師の操作による放射線変換器３８の起動時、あるいは、放射線変換器３８の動作中における所定のタイミング毎（１枚の放射線画像の撮影完了後、又は、送受信部５８、９６間での通信開始の直前）に、送受信部５８に送信信号（所定のビット数のテストデータ）を送信し、送受信部５８から各コンソール２４、２６、２８の送受信部９６に対して無線通信を行わせる。そして、選択部８５は、各コンソールからの受信信号のうち、前記テストデータの受信時間（転送時間）が最も短い受信信号を最速のビットレートを示す受信信号と判断し、当該受信信号を送信してきたコンソールを、１つのコンソールとして選択する。
【００６５】
さらに、受信信号の信号レベルの時間変動に基づいて１つのコンソールを選択する場合、選択部８５は、信号レベルの時間変動が最小の受信信号を送信してきたコンソールを１つのコンソールとして選択する。この場合、受信信号の信号レベルの大きさに基づくコンソールの選択の場合と同様に、選択部８５は、送受信部５８に対して所定時間内に送信信号を複数回送信して送受信部５８から各コンソール２４、２６、２８の送受信部９６への複数回の無線通信を行わせ、各送受信部９６で得られた受信信号の特定周波数での信号レベル（受信電界強度）を測定して、測定した受信電界強度の時間変動が最小のコンソールを、１つのコンソールとして選択する。
【００６６】
さらにまた、ＢＥＲに基づいて１つのコンソールを選択する場合、選択部８５は、ＢＥＲが最も低い受信信号を送信してきたコンソールを１つのコンソールとして選択する。この場合、選択部８５は、デジタルデータの送信信号を送受信部５８に送信して送受信部５８から各コンソール２４、２６、２８の送受信部９６への無線通信を行わせ、各送受信部９６で得られたデジタルデータの受信信号より、送信信号のデジタルデータに対する受信信号のデジタルデータ中の誤りデータの比率（ＢＥＲ）を算出し、算出したＢＥＲが最低のコンソールを、１つのコンソールとして選択する。
【００６７】
このような選択処理により１つのコンソールを選択できた場合に、選択部８５は、１つのコンソールと１つの放射線変換器３８（３８ａ〜３８ｃ）との間で最適な通信状態が確保され、且つ、該１つのコンソールと１つの放射線変換器３８（３８ａ〜３８ｃ）とが対応付けられていることを示す報知信号を放射線変換器３８（３８ａ〜３８ｃ）及び各コンソール２４、２６、２８に送信する。
【００６８】
次に、図６Ｂの場合、選択部８５は、撮影前に、コンソール２４（２６、２８）の送受信部９６に送信信号を送信する。送受信部９６は、受信した送信信号を電波として放射する。放射線変換器３８ａ〜３８ｃの送受信部５８は、受信した電波を受信信号に変換して選択部８５に送信する。
【００６９】
この場合、選択部８５では、図６Ａの例と同様に、各送受信部５８で得られた受信信号の信号レベルの大きさ、送信信号及び受信信号より得られる送受信部９６、５８間の伝送距離、送信信号及び受信信号より得られる送受信部９６、５８間の通信速度、受信信号の信号レベルの時間変動、送信信号及び受信信号より得られるＢＥＲのうちの少なくとも１つに基づいて、１つの放射線変換器を選択する。
【００７０】
具体的に、受信信号の信号レベルの大きさに基づいて１つの放射線変換器を選択する場合、選択部８５は、送受信部９６に対して所定時間内に送信信号を複数回送信して送受信部９６から各放射線変換器３８ａ〜３８ｃの送受信部５８への複数回の無線通信を行わせ、各送受信部５８で得られた受信信号の特定周波数での信号レベル（受信電界強度）を測定して、測定した受信電界強度の時間平均が最大の放射線変換器を、１つの放射線変換器として選択する。
【００７１】
また、送信信号及び受信信号より得られる送受信部９６、５８間の伝送距離に基づいて１つの放射線変換器を選択する場合、選択部８５は、特定の長さのデータの送信信号を送受信部９６に送信して送受信部９６から各放射線変換器３８ａ〜３８ｃの送受信部５８への無線通信を行わせ、受信完了時間（この場合は、送受信部９６に対する送信信号の送信開始時点から送受信部５８における受信信号の受信完了時点までの時間）が最も短い受信信号を送信してきた放射線変換器を、１つの放射線変換器として選択する。
【００７２】
さらに、送信信号及び受信信号より得られる送受信部９６、５８間の通信速度（ビットレート）に基づいて１つの放射線変換器を選択する場合、選択部８５は、所定のビット数のテストデータを送信信号として送受信部９６に送信し、送受信部９６から各放射線変換器３８ａ〜３８ｃの送受信部５８に対して無線通信を行わせる。選択部８５は、前記テストデータの受信時間が最も短い受信信号（最速のビットレートを示す受信信号）を送信してきた放射線変換器を、１つの放射線変換器として選択する。
【００７３】
さらにまた、受信信号の信号レベルの時間変動に基づいて１つの放射線変換器を選択する場合、選択部８５は、送受信部９６に対して所定時間内に送信信号を複数回送信して送受信部９６から各放射線変換器３８ａ〜３８ｃの送受信部５８への複数回の無線通信を行わせ、各送受信部５８で得られた受信信号の特定周波数での信号レベル（受信電界強度）を測定して、測定した受信電界強度の時間変動が最小の放射線変換器を、１つの放射線変換器として選択する。
【００７４】
さらにまた、ＢＥＲに基づいて１つの放射線変換器を選択する場合、選択部８５は、デジタルデータの送信信号を送受信部９６に送信して送受信部９６から各放射線変換器３８ａ〜３８ｃの送受信部５８への無線通信を行わせ、各送受信部５８で得られたデジタルデータの受信信号よりＢＥＲを算出し、算出したＢＥＲが最低の放射線変換器を、１つの放射線変換器として選択する。
【００７５】
図６Ｂの例での選択処理により１つの放射線変換器を選択できた場合に、選択部８５は、１つの放射線変換器と１つのコンソール２４（２６、２８）との間で最適な通信状態が確保され、且つ、該１つの放射線変換器と１つのコンソール２４（２６、２８）とが対応付けられていることを示す報知信号を各放射線変換器３８ａ〜３８ｃ及びコンソール２４（２６、２８）に送信する。
【００７６】
一方、図７Ａの例において、選択部８５は、撮影前に、コンソール２４と放射線変換器３８（３８ａ〜３８ｃ）との間での送信信号の送信及び受信信号の受信と、コンソール２６と放射線変換器３８（３８ａ〜３８ｃ）との間での送信信号の送信及び受信信号の受信と、コンソール２８と放射線変換器３８（３８ａ〜３８ｃ）との間での送信信号の送信及び受信信号の受信とを、異なる時間帯でそれぞれ行う。すなわち、同時に行うと、電波の混信や受信信号の混信が発生するおそれがあるためである。
【００７７】
この場合、放射線変換器３８（３８ａ〜３８ｃ）の送受信部５８は、送信信号に対するモニタ用受信機として機能する。すなわち、送受信部５８は、送受信部９６からの電波を受信信号に変換することで、送信信号をモニタしていることになる。選択部８５は、各送受信部９６で得られた受信信号（に応じた送信信号）の信号レベルの大きさ、送信信号及び受信信号より得られる送受信部９６、５８間の伝送距離、送信信号及び受信信号より得られる送受信部９６、５８間の通信速度（ビットレート）、受信信号（に応じた送信信号）の信号レベルの時間変動、ＢＥＲのうちの少なくとも１つに基づいて、１つのコンソールを選択する。
【００７８】
具体的に、受信信号に応じた送信信号の信号レベルの大きさに基づいて１つのコンソールを選択する場合、選択部８５は、各送受信部９６に対して所定時間内に送信信号を複数回送信して各送受信部９６から送受信部５８への複数回の無線通信を異なる時間帯でそれぞれ行わせ、送受信部５８で得られた受信信号の特定周波数での信号レベル（送信電界強度）を測定して、測定した送信電界強度の時間平均が最大の送信信号を電波として放射したコンソールを、１つのコンソールとして選択する。
【００７９】
また、送信信号及び受信信号より得られる送受信部９６、５８間の伝送距離に基づいて１つのコンソールを選択する場合、選択部８５は、特定の長さのデータの送信信号を各送受信部９６に送信して各送受信部９６から送受信部５８への無線通信を異なる時間帯でそれぞれ行わせ、受信完了時間が最も短い受信信号に応じた送信信号を電波として放射したコンソールを、１つのコンソールとして選択する。
【００８０】
さらに、送信信号及び受信信号より得られる送受信部９６、５８間の通信速度（ビットレート）に基づいて１つのコンソールを選択する場合、選択部８５は、所定のビット数のテストデータを送信信号として各送受信部９６に送信して各送受信部９６から送受信部５８への無線通信を異なる時間帯でそれぞれ行わせ、テストデータの受信時間が最も短い受信信号に応じた送信信号を電波として放射したコンソールを、１つのコンソールとして選択する。
【００８１】
さらにまた、受信信号の信号レベルの時間変動に基づいて１つのコンソールを選択する場合、選択部８５は、各送受信部９６に対して所定時間内に送信信号を複数回送信して各送受信部９６から送受信部５８への複数回の無線通信を異なる時間帯でそれぞれ行わせ、送受信部５８で得られた受信信号の特定周波数での信号レベル（送信電界強度）を測定して、測定した送信電界強度の時間変動が最小の送信信号を電波として放射したコンソールを、１つのコンソールとして選択する。
【００８２】
さらにまた、ＢＥＲに基づいて１つのコンソールを選択する場合、選択部８５は、デジタルデータの送信信号を各送受信部９６に送信して各送受信部９６から送受信部５８への無線通信を異なる時間帯でそれぞれ行わせ、送受信部５８で得られたデジタルデータの受信信号よりＢＥＲを算出し、算出したＢＥＲが最低のコンソールを、１つのコンソールとして選択する。
【００８３】
図７Ａの例での選択処理により１つのコンソールを選択できた場合に、選択部８５は、１つの放射線変換器３８（３８ａ〜３８ｃ）と１つのコンソールとの間で最適な通信状態が確保され、且つ、１つの放射線変換器３８（３８ａ〜３８ｃ）と１つのコンソールとが対応付けられていることを示す報知信号を放射線変換器３８（３８ａ〜３８ｃ）及び各コンソール２４、２６、２８に送信する。
【００８４】
また、図７Ｂの例において、選択部８５は、撮影前に、放射線変換器３８ａとコンソール２４（２６、２８）との間での送信信号の送信及び受信信号の受信と、放射線変換器３８ｂとコンソール２４（２６、２８）との間での送信信号の送信及び受信信号の受信と、放射線変換器３８ｃとコンソール２４（２６、２８）との間での送信信号の送信及び受信信号の受信とを、異なる時間帯でそれぞれ行う。
【００８５】
この場合、コンソール２４（２６、２８）の送受信部９６は、送信信号に対するモニタ用の受信機として機能し、選択部８５は、送受信部９６で得られた受信信号（に応じた送信信号）の信号レベルの大きさ、送信信号及び受信信号より得られる送受信部５８、９６間の伝送距離、送信信号及び受信信号より得られる送受信部５８、９６間の通信速度（ビットレート）、受信信号（に応じた送信信号）の信号レベルの時間変動、ＢＥＲのうちの少なくとも１つに基づいて、１つの放射線変換器を選択する。
【００８６】
具体的に、受信信号に応じた送信信号の信号レベルの大きさに基づいて１つの放射線変換器を選択する場合、選択部８５は、各送受信部５８に対して所定時間内に送信信号を複数回送信して各送受信部５８から送受信部９６への複数回の無線通信を異なる時間帯でそれぞれ行わせ、送受信部９６で得られた受信信号の特定周波数での信号レベル（送信電界強度）を測定して、測定した送信電界強度の時間平均が最大の送信信号を電波として放射した放射線変換器を、１つの放射線変換器として選択する。
【００８７】
また、送信信号及び受信信号より得られる送受信部５８、９６間の伝送距離に基づいて１つの放射線変換器を選択する場合、選択部８５は、特定の長さのデータの送信信号を各送受信部５８に送信して各送受信部５８から送受信部９６への無線通信を異なる時間帯でそれぞれ行わせ、受信完了時間が最も短い受信信号に応じた送信信号を電波として放射した放射線変換器を、１つの放射線変換器として選択する。
【００８８】
さらに、送信信号及び受信信号より得られる送受信部５８、９６間の通信速度（ビットレート）に基づいて１つの放射線変換器を選択する場合、選択部８５は、所定のビット数のテストデータを送信信号として各送受信部５８に送信して各送受信部５８から送受信部９６への無線通信を異なる時間帯でそれぞれ行わせ、テストデータの受信時間が最も短い受信信号に応じた送信信号を電波として放射した放射線変換器を、１つの放射線変換器として選択する。
【００８９】
さらにまた、受信信号の信号レベルの時間変動に基づいて１つの放射線変換器を選択する場合、選択部８５は、各送受信部５８に対して所定時間内に送信信号を複数回送信して各送受信部５８から送受信部９６への複数回の無線通信を異なる時間帯でそれぞれ行わせ、送受信部９６で得られた受信信号の特定周波数での信号レベル（送信電界強度）を測定して、測定した送信電界強度の時間変動が最小の送信信号を電波として放射した放射線変換器を、１つの放射線変換器として選択する。
【００９０】
さらにまた、ＢＥＲに基づいて１つの放射線変換器を選択する場合、選択部８５は、デジタルデータの送信信号を各送受信部５８に送信して各送受信部５８から送受信部９６への無線通信を異なる時間帯でそれぞれ行わせ、送受信部９６で得られたデジタルデータの受信信号よりＢＥＲを算出し、算出したＢＥＲが最低の放射線変換器を、１つの放射線変換器として選択する。
【００９１】
図７Ｂの例での選択処理により１つの放射線変換器を選択できた場合に、選択部８５は、１つの放射線変換器と１つのコンソール２４（２６、２８）との間で最適な通信状態が確保され、且つ、１つの放射線変換器と１つのコンソール２４（２６、２８）とが対応付けられていることを示す報知信号を各放射線変換器３８ａ〜３８ｃ及びコンソール２４（２６、２８）に送信する。
【００９２】
図８Ａの例は、１つの放射線変換器３８（３８ａ〜３８ｃ）と３つのコンソール２４〜２８とがある場合の選択（図６Ａ参照）、あるいは、３つの放射線変換器３８ａ〜３８ｃと１つのコンソール２４（２６、２８）とがある場合の選択（図７Ｂ参照）を、単純に、３つの放射線変換器３８ａ〜３８ｃと３つのコンソール２４〜２８とがある場合の選択に拡張した場合を示している。図６Ａの例を拡張した場合では、放射線変換器３８ａ〜３８ｃのそれぞれについて図６Ａの例を適用すればよい。また、図７Ｂの例を拡張した場合には、コンソール２４〜２８のそれぞれについて図７Ｂの例を適用すればよい。
【００９３】
また、図８Ｂの例は、３つの放射線変換器３８ａ〜３８ｃと１つのコンソール２４（２６、２８）とがある場合の選択（図６Ｂ参照）、あるいは、１つの放射線変換器３８（３８ａ〜３８ｃ）と３つのコンソール２４〜２８とがある場合の選択（図７Ａ参照）を、単純に、３つの放射線変換器３８ａ〜３８ｃと３つのコンソール２４〜２８とがある場合の選択に拡張した場合を示している。図６Ｂの例を拡張した場合では、コンソール２４〜２８のそれぞれについて図６Ｂの例を適用すればよい。また、図７Ａの例を拡張した場合には、放射線変換器３８ａ〜３８ｃのそれぞれについて図７Ａの例を適用すればよい。
【００９４】
なお、図６Ａ〜図８Ｂの例では、選択部８５から放射線変換器３８（３８ａ〜３８ｃ）又はコンソール２４（２６、２８）に送信信号を送信する場合について説明したが、これに限定されるものではなく、例えば、放射線変換器３８（３８ａ〜３８ｃ）の制御部５６又はコンソール２４（２６、２８）の制御部９８において送信信号を生成できるようにし、選択部８５から放射線変換器３８（３８ａ〜３８ｃ）又はコンソール２４（２６、２８）に送信信号の生成を指示する制御信号を送信したときに、制御部５６又は制御部９８が送信信号を生成して送受信部５８又は送受信部９６に出力するようにしてもよい。
【００９５】
また、図９〜図１０Ｂに示すように、選択部８５の機能を有するコンソール探索部９０（９０ａ〜９０ｃ）を放射線変換器３８（３８ａ〜３８ｃ）に取り込んでもよいし、図１１〜図１２Ｂに示すように、選択部８５の機能を有する放射線変換器探索部９１をコンソール２４（２６、２８）に取り込んでもよい。
【００９６】
放射線変換器３８（３８ａ〜３８ｃ）がコンソール探索部９０（９０ａ〜９０ｃ）を備える場合には、図６Ａの例及び図７Ａの例を適用することが可能である。
【００９７】
すなわち、図６Ａの例を適用する場合には、コンソール探索部９０（９０ａ〜９０ｃ）から送受信部５８に送信信号を出力し、送受信部５８から送信信号を電波として放射する。コンソール２４（２６、２８）では、送受信部９６において電波を受信信号に変換し、制御部９８は、受信信号の信号レベルを示すデータを送受信部９６から送受信部５８に送信する。コンソール探索部９０（９０ａ〜９０ｃ）は、送受信部５８を介して受信したデータに基づいて受信信号の信号レベルを把握することができるので、前述した図６Ａの例における各種の選択処理を実行することが可能となる。
【００９８】
また、図７Ａの例を適用する場合には、コンソール探索部９０（９０ａ〜９０ｃ）から送受信部５８に制御信号を出力し、送受信部５８から送受信部９６を介してコンソール２４（２６、２８）の制御部９８に制御信号を送信する。制御部９８は、受信した制御信号に基づいて送信信号を生成し、生成した送信信号を電波として放射するように送受信部９６を制御する。この場合でも、コンソール探索部９０（９０ａ〜９０ｃ）は、送受信部５８を介して受信した受信信号に基づいて、前述した図７Ａの例における各種の選択処理を実行することが可能となる。
【００９９】
なお、送受信部５８は、コンソール２４、２６、２８との間で、ＵＷＢ又は無線ＬＡＮによる信号の送受信が可能であるため、コンソール探索部９０（９０ａ〜９０ｃ）は、送受信部５８がＵＷＢによる信号の送受信を行う無線送受信部であれば、該送受信部５８をＵＷＢによりコンソール２４、２６、２８を探索するための短距離レーダとして利用し、あるいは、送受信部５８が無線ＬＡＮによる信号の送受信を行う無線送受信部であれば、該送受信部５８をコンソール２４、２６、２８の位置を検知するための位置検知機構として利用することも可能である。この場合、コンソール探索部９０（９０ａ〜９０ｃ）は、短距離レーダにより得られた距離又は位置検知機構により得られた位置に基づいて伝送距離を求め、求めた伝送距離が最短のコンソールを１つのコンソールとして選択する。
【０１００】
このようにしてコンソール探索部９０（９０ａ〜９０ｃ）において１つの放射線変換器と１つのコンソールとの対応付けが行われた場合、その対応付けを示す報知信号は、送受信部５８を介して他の放射線変換器及び各コンソール２４、２６、２８に送信される。
【０１０１】
一方、コンソール２４（２６、２８）が放射線変換器探索部９１を具備する場合には、図６Ｂの例及び図７Ｂの例を適用することが可能である。
【０１０２】
すなわち、図６Ｂの例を適用する場合には、放射線変換器探索部９１から送受信部９６に送信信号を出力し、送受信部９６から送信信号を電波として放射する。放射線変換器３８（３８ａ〜３８ｃ）では、送受信部５８において電波を受信信号に変換し、制御部５６は、受信信号の信号レベルを示すデータを送受信部５８から送受信部９６に送信する。放射線変換器探索部９１は、送受信部９６を介して受信したデータに基づいて受信信号の信号レベルを把握することができるので、前述した図６Ｂの例における各種の選択処理を実行することが可能となる。
【０１０３】
また、図７Ｂの例を適用する場合には、放射線変換器探索部９１から送受信部９６に制御信号を出力し、送受信部９６から送受信部５８を介して放射線変換器３８（３８ａ〜３８ｃ）の制御部５６に制御信号を送信する。制御部５６は、受信した制御信号に基づいて送信信号を生成し、生成した送信信号を電波として放射するように送受信部５８を制御する。この場合でも、放射線変換器探索部９１は、送受信部９６を介して受信した受信信号に基づいて、前述した図７Ｂの例における各種の選択処理を実行することが可能となる。
【０１０４】
なお、送受信部９６においてもＵＷＢにより放射線変換器３８（３８ａ〜３８ｃ）を探索するための短距離レーダとして利用し、あるいは、送受信部９６が無線ＬＡＮによる信号の送受信を行う無線送受信部であれば、該送受信部９６を放射線変換器３８（３８ａ〜３８ｃ）の位置を検知するための位置検知機構として利用することも可能である。この場合、放射線変換器探索部９１は、短距離レーダにより得られた距離又は位置検知機構により得られた位置に基づいて伝送距離を求め、求めた伝送距離が最短の放射線変換器を１つの放射線変換器として選択する。
【０１０５】
このようにして放射線変換器探索部９１において１つの放射線変換器と１つのコンソールとの対応付けが行われた場合、その対応付けを示す報知信号は、送受信部９６を介して各放射線変換器３８ａ〜３８ｃ及び他のコンソールに送信される。
【０１０６】
以上、図４〜図１２Ｂを参照しながら１つのコンソールと１つの放射線変換器との間の対応付け処理を説明したが、この対応付け処理によって１つのコンソールと１つの放射線変換器との間で通信状態が確保された後に、被写体３２に対する撮影が行われる。この場合、放射線源８７から被写体３２に放射線３６が照射されて、被写体３２に対する撮影が行われると、送受信部５８は、画像メモリ９２に記憶された放射線画像と、前記ＩＤ情報とを対応付けて、無線通信によりコンソール２４に送信する。
【０１０７】
撮影装置３４を構成する放射線発生装置４４は、放射線３６を出力する放射線源８７と、放射線源８７を制御する線源制御部８８と、曝射スイッチ８９とを備える。
【０１０８】
また、コンソール２４において、オーダ情報記憶部１００は、ＲＩＳ１４から取得した撮影のオーダ情報を記憶（登録）する。なお、オーダ情報とは、ＲＩＳ１４を用いて医師により作成されるものであり、患者の氏名、年齢、性別等、患者を特定するための患者情報に加えて、撮影に使用する撮影装置３４、撮影部位、撮影方法、撮影条件が含まれる。また、撮影条件とは、例えば、放射線源８７の管電圧、管電流、放射線３６の照射時間等、被写体３２に照射される放射線量を決定するための条件である。
【０１０９】
撮影条件記憶部１０２は、ＲＩＳ１４から取得し、あるいは、技師によりコンソール２４で設定した撮影装置３４の撮影条件を記憶（登録）する。画像処理部１０４は、撮影装置３４から取得した放射線画像に対する画像処理を行う。
【０１１０】
ＩＤメモリ１０６には、放射線変換器３８のＩＤ情報が予め記憶されている。入力操作部１０８は、キーボード又はマウス等の入力手段であり、技師の操作により所定の情報を入力することが可能である。表示部１１０は、画像処理部１０４で画像処理された放射線画像を表示する。
【０１１１】
ここで、送受信部９６が選択部８５又はコンソール探索部９０（９０ａ〜９０ｃ）から報知信号を受信した場合、あるいは、放射線変換器探索部９１が報知信号を生成した場合、制御部９８は、前記報知信号に基づいて、１つのコンソールと１つの放射線変換器との対応付けを示す情報を表示部１１０に表示させると共に、オーダ情報記憶部１００に記憶されたオーダ情報や、撮影条件記憶部１０２に記憶された撮影条件を、上記の対応付けに応じた内容に変更する。
【０１１２】
この場合、技師は、例えば、撮影室１８内にある放射線変換器３８と、撮影室２０に接続されたコンソール２６、又は、撮影室２２に接続されたコンソール２８とが対応付けられていれば、この対応付けを、放射線変換器３８と、該放射線変換器３８がある撮影室１８に接続されたコンソール２４との対応付けに変更するように入力操作部１０８を入力操作する。これにより、制御部９８は、入力操作部１０８に対する入力操作に基づいて、選択部８５、コンソール探索部９０（９０ａ〜９０ｃ）又は放射線変換器探索部９１により設定された放射線変換器３８とコンソール２６又はコンソール２８との対応付けを、放射線変換器３８とコンソール２４との対応付けに変更し、変更後の対応付けを表示部１１０に表示させると共に、オーダ情報記憶部１００に記憶されたオーダ情報や、撮影条件記憶部１０２に記憶された撮影条件を、変更後の対応付けに応じた内容に変更する。
【０１１３】
技師が撮影室１８に放射線変換器３８を持ち込んだ場合に、撮影室１８内の該放射線変換器３８と、撮影室２０に接続されたコンソール２６、又は、撮影室２２に接続されたコンソール２８との対応付けに従って、被写体３２に対する撮影を行おうとすれば、撮影室１８内の被写体３２及び放射線変換器３８を撮影室２０又は撮影室２２にまで移動させなければならない。これにより、被写体３２の負担が増大すると共に、撮影室１８内での撮影から撮影室２０又は撮影室２２内での撮影への変更に手間がかかって、撮影準備に要する技師の作業時間が長くなる（作業効率が低下する）。この結果、前記技師の負担も増大して、撮影効率も低下する。
【０１１４】
従って、選択部８５、コンソール探索部９０（９０ａ〜９０ｃ）又は放射線変換器探索部９１における対応付けを、技師による入力操作部１０８の入力操作により、該技師が使用したいと思うような対応付けに変更することで、上述した問題の発生を回避して、被写体３２及び技師の負担を共に軽減することができ、さらには、撮影準備時間の短縮化や撮影効率の向上を一挙に実現することができる。
【０１１５】
本実施形態の放射線画像撮影システム１０は、基本的には以上のように構成されるものであり、次に、コンソール２４及び撮影室１８を中心とした動作につき、図１３に示すフローチャートに従って説明する。
【０１１６】
なお、図１３のフローチャートは、撮影室１８内に放射線変換器３８を持ち込んで被写体３２の撮影を行う場合であり、撮影室１８に配置された放射線変換器３８と、撮影室１８に接続されたコンソール２４との対応付けで該撮影を行えば、被写体３２及び技師の負担を軽減することができると共に、撮影準備時間の短縮化や撮影効率の向上を実現することができる場合を示している。
【０１１７】
すなわち、図１３のフローチャートを実現するためには、図６Ａ、図７Ａ及び図１０Ａの例を適用すればよいが、ここでは、代表的に、図６Ａの例を適用した場合について説明する。
【０１１８】
先ず、コンソール２４の送受信部９６は、院内ネットワーク３０を介してＲＩＳ１４から撮影のオーダ情報を取得する（ステップＳ１）。
【０１１９】
制御部９８は、オーダ情報を取得すると、オーダ情報をオーダ情報記憶部１００に記憶すると共に、前記オーダ情報に含まれる撮影条件を撮影条件記憶部１０２に記憶する。
【０１２０】
一方、技師が外部から撮影室１８に放射線変換器３８を持ち込み、電源スイッチ６０をＯＮにすると、ステップＳ２において、選択部８５は、図示しないメモリに格納されたプログラムを実行することにより、放射線変換器３８の送受信部５８に送信信号を送信する。送受信部５８は、受信した送信信号を電波として放射し、コンソール２４、２６、２８の送受信部９６は、受信した電波を受信信号に変換して選択部８５に送信する。選択部８５では、各送受信部９６からの受信信号の信号レベルの大きさ、送信信号及び各受信信号より得られる送受信部５８、９６間の伝送距離、送信信号及び各受信信号より得られる送受信部５８、９６間の通信速度、各受信信号の信号レベルの時間変動、送信信号及び各受信信号より得られるＢＥＲのうち、少なくとも１つについて比較することにより、該放射線変換器３８との間で最適な無線通信が確立できる１つのコンソールを探索（選択）する。
【０１２１】
前記１つのコンソールを探索できた場合に（ステップＳ３：ＹＥＳ）、選択部８５は、１つのコンソールと放射線変換器３８との間で最適な無線通信が確立でき、且つ、１つのコンソールと放射線変換器３８とが対応付けられたことを示す報知信号を放射線変換器３８及び各コンソール２４、２６、２８に送信する。放射線変換器３８及び各コンソール２４、２６、２８は、報知信号を受信することにより、選択部８５で対応付けられた１つのコンソールと１つの放射線変換器３８とを把握することができる。
【０１２２】
各コンソール２４、２６、２８の制御部９８は、受信した報知信号に基づいて、１つのコンソールと放射線変換器３８との対応付けを示す情報を表示部１１０に表示させると共に（ステップＳ４）、オーダ情報記憶部１００に記憶されたオーダ情報及び撮影条件記憶部１０２に記憶された撮影条件を、前記対応付けに応じた内容にそれぞれ変更する。
【０１２３】
なお、ステップＳ３において、選択部８５は、前記１つのコンソールを探索できない場合には（ステップＳ３：ＮＯ）、ステップＳ２の処理を再度行う。また、撮影室１８に持ち込まれた放射線変換器３８をクレードル４０に装填することで、バッテリ５４への充電を行なうことができる。
【０１２４】
ステップＳ５において、技師は、表示部１１０の表示内容を視認して、放射線変換器３８と対応付けられた１つのコンソールが、放射線変換器３８が配置される撮影室１８に接続されたコンソール２４とは異なるものか否かを確認する。すなわち、放射線変換器３８が撮影室１８にあるので、撮影室１８に接続されたコンソール２４と放射線変換器３８とが対応付けられていれば、該撮影室１８内で被写体３２に対する撮影を行うと、該撮影に係る被写体３２及び技師の負担や、撮影準備に係る作業効率や撮影効率を向上させることができる。つまり、コンソール２４と放射線変換器３８との対応付けによる撮影であれば、技師にとり作業がしやすい撮影となる。
【０１２５】
ステップＳ５において、表示部１１０の表示内容が、１つのコンソール２４と放射線変換器３８との対応付けが成されている旨の内容であれば、技師は、使用したいコンソール２４が表示されているので（ステップＳ５：ＮＯ）、例えば、入力操作部１０８を入力操作して、対応付けられた１つのコンソール２４と放射線変換器３８とを使用した撮影を承認する情報を入力する。これにより、オーダ情報記憶部１００に記憶されたオーダ情報が前記撮影におけるオーダ情報として確定し（ステップＳ６）、一方で、撮影条件記憶部１０２に記憶された撮影条件が前記撮影における撮影条件として確定する（ステップＳ７）。
【０１２６】
一方、ステップＳ５において、表示部１１０の表示内容が、コンソール２６又はコンソール２８と放射線変換器３８とを対応付ける旨の内容であれば、技師は、使用したいコンソール２４とは異なるコンソール２６又はコンソール２８が表示されているので（ステップＳ５：ＹＥＳ）、入力操作部１０８を入力操作して、コンソール２６又はコンソール２８と放射線変換器３８との対応付けを、コンソール２４と放射線変換器３８との対応付けに変更する旨の情報を入力する。
【０１２７】
これにより、制御部９８は、入力された前記情報に基づいて、コンソール２６又はコンソール２８と放射線変換器３８との対応付けを、コンソール２４と放射線変換器３８との対応付けに変更し、変更後のコンソール２４と放射線変換器３８との対応付けを示す情報を表示部１１０に表示させると共に、オーダ情報記憶部１００に記憶されたオーダ情報及び撮影条件記憶部１０２に記憶された撮影条件を、変更後の前記対応付けに応じた内容にそれぞれ変更する（ステップＳ８）。
【０１２８】
この結果、オーダ情報記憶部１００には、変更後の前記対応付けに応じたオーダ情報が前記撮影のためのオーダ情報として登録され（ステップＳ６）、一方で、撮影条件記憶部１０２には、変更後の前記対応付けに応じた撮影条件が前記撮影のための撮影条件として登録される（ステップＳ７）。
【０１２９】
以上のようにして、必要なオーダ情報及び撮影条件が登録された後、コンソール２４は、オーダ情報に従って撮影装置３４の放射線発生装置４４に対して、撮影条件を送信し設定する。放射線発生装置４４では、撮影条件が設定され、撮影の準備が完了した後（ステップＳ９：ＹＥＳ）、放射線画像の撮影が開始される（ステップＳ１０）。
【０１３０】
この場合、クレードル４０によるバッテリ５４の充電が完了した放射線変換器３８を撮影台４２に載置し、その上に被写体３２を位置決めした後に、技師が曝射スイッチ８９を操作すると、放射線源８７から放射線３６が被写体３２に照射される。被写体３２を透過した放射線３６は、放射線変換器３８を構成する放射線変換パネル５０に照射されることで、被写体３２の放射線画像の撮影が行われる。
【０１３１】
放射線変換パネル５０を構成する各画素６８の光電変換層６２は、入射した放射線３６を電気信号に変換し、その電気信号が蓄積容量６６に電荷として保持される。次いで、各蓄積容量６６に保持された被写体３２の放射線画像である電荷情報は、制御部５６からライン走査駆動部７４及びマルチプレクサ７６に供給されるアドレス信号に従って読み出される。
【０１３２】
すなわち、ライン走査駆動部７４のアドレスデコーダ７８は、制御部５６から供給されるアドレス信号に従って選択信号を出力してスイッチＳＷ１の１つを選択し、対応するゲート線７０に接続されたＴＦＴ６４のゲートに制御信号Ｖｏｎを供給する。一方、マルチプレクサ７６のアドレスデコーダ８４は、制御部５６から供給されるアドレス信号に従って選択信号を出力してスイッチＳＷ２を順次切り替え、ライン走査駆動部７４によって選択されたゲート線７０に接続された各画素６８の蓄積容量６６に保持された電荷情報である放射線画像を信号線７２を介して順次読み出す。
【０１３３】
放射線変換パネル５０の選択されたゲート線７０に接続された各画素６８の蓄積容量６６から読み出された放射線画像は、各増幅器８０によって増幅された後、各サンプルホールド回路８２によってサンプリングされ、マルチプレクサ７６を介してＡ／Ｄ変換器８６に供給され、デジタル信号に変換される。デジタル信号に変換された放射線画像は、制御部５６により送受信部５８から無線通信によりコンソール２４に送信される。
【０１３４】
同様にして、ライン走査駆動部７４のアドレスデコーダ７８は、制御部５６から供給されるアドレス信号に従ってスイッチＳＷ１を順次切り替え、各ゲート線７０に接続されている各画素６８の蓄積容量６６に保持された電荷情報である放射線画像は、信号線７２を介して読み出され、マルチプレクサ７６、Ａ／Ｄ変換器８６及び制御部５６を介して送受信部５８から無線通信によりコンソール２４に送信される。
【０１３５】
この場合、制御部５６は、ＩＤ情報と放射線画像とを共に送受信部５８から無線通信によりコンソール２４に送信する。
【０１３６】
コンソール２４の制御部９８は、受信したＩＤ情報がＩＤメモリ１０６に記憶され、且つ、前記報知信号の示す前記対応付けられた１つの放射線変換器３８のＩＤ情報と一致する場合に、受信したＩＤ情報と共に受信した放射線画像を画像処理部１０４に出力し（ステップＳ１１）、画像処理部１０４は、入力された放射線画像に対する画像処理を行う（ステップＳ１２）。制御部９８は、画像処理後の放射線画像を表示部１１０に表示させる（ステップＳ１３）。なお、画像処理後の放射線画像は、院内ネットワーク３０を介してビューア１６にも送信され、医師による読影診断に供せられる。
【０１３７】
図１３のフローチャートは、複数のコンソール２４、２６、２８と１つの放射線変換器３８とがある場合に、複数のコンソール２４、２６、２８の中から１つのコンソールを選択し、選択した１つのコンソールと１つの放射線変換器３８とを対応付け、対応付けた１つのコンソールと１つの放射線変換器３８とを用いて放射線画像の撮影を行うものである。
【０１３８】
本実施形態に係る放射線画像撮影システム１０は、図１３のフローチャートに限定されるものではなく、図１４のフローチャートのように、複数の放射線変換器３８ａ〜３８ｃと１つのコンソール２４（２６、２８）とがある場合に、複数の放射線変換器３８ａ〜３８ｃの中から１つの放射線変換器を選択し、選択した１つの放射線変換器と１つのコンソール２４（２６、２８）とを対応付け、対応付けた１つの放射線変換器と１つのコンソール２４（２６、２８）とを用いて放射線画像の撮影を行う場合にも適用することが可能である。
【０１３９】
すなわち、図１４のフローチャートを実行するためには、図６Ｂ、図７Ｂ及び図１２Ａの例を適用すればよいが、ここでは、代表的に、図６Ｂの例を適用した場合について説明する。また、図１４のフローチャートでは、撮影室１８に接続されたコンソール２４と、複数の放射線変換器３８ａ〜３８ｃのうちの１つの放射線変換器とを対応付ける場合について説明する。
【０１４０】
ステップＳ２ａにおいて、選択部８５は、コンソール２４の送受信部９６に送信信号を送信する。送受信部９６は、受信した送信信号を電波として放射し、放射線変換器３８ａ〜３８ｃの送受信部５８は、受信した電波を受信信号に変換して選択部８５に送信する。選択部８５では、各送受信部５８からの受信信号の信号レベルの大きさ、送信信号及び各受信信号より得られる送受信部９６、５８間の伝送距離、送信信号及び各受信信号より得られる送受信部９６、５８間の通信速度、各受信信号の信号レベルの時間変動、送信信号及び各受信信号より得られるＢＥＲのうち、少なくとも１つについて比較することにより、該コンソール２４との間で最適な無線通信が確立できる１つの放射線変換器を探索（選択）する。
【０１４１】
前記１つの放射線変換器を探索できた場合に（ステップＳ３ａ：ＹＥＳ）、選択部８５は、１つの放射線変換器とコンソール２４との間で最適な無線通信が確立でき、且つ、１つの放射線変換器とコンソール２４とが対応付けられたことを示す報知信号を放射線変換器３８ａ〜３８ｃ及びコンソール２４に送信する。放射線変換器３８ａ〜３８ｃ及びコンソール２４は、報知信号を受信することにより、選択部８５で対応付けられた１つの放射線変換器と１つのコンソール２４とを把握することができる。
【０１４２】
コンソール２４の制御部９８は、受信した報知信号に基づいて、１つの放射線変換器とコンソール２４との対応付けを示す情報を表示部１１０に表示させると共に（ステップＳ４ａ）、オーダ情報記憶部１００に記憶されたオーダ情報及び撮影条件記憶部１０２に記憶された撮影条件を、前記対応付けに応じた内容にそれぞれ変更する。
【０１４３】
なお、ステップＳ３ａにおいて、選択部８５は、前記１つの放射線変換器を探索できない場合には（ステップＳ３ａ：ＮＯ）、ステップＳ２ａの処理を再度行う。
【０１４４】
また、ステップＳ５ａにおいて、技師は、表示部１１０の表示内容を視認して、コンソール２４と対応付けられた１つの放射線変換器が、撮影室１８内にあるか否かを確認する。そして、表示部１１０の表示内容が、撮影室１８内にある１つの放射線変換器とコンソール２４との間での対応付けの内容であり、従って、使用したい放射線変換器が表示されていれば（ステップＳ５ａ：ＮＯ）、図１３のステップＳ６以降の処理が行われる。
【０１４５】
一方、ステップＳ５ａにおいて、表示部１１０の表示内容が、撮影室１８外の放射線変換器とコンソール２４とを対応付ける旨の内容であり、使用したい放射線変換器とは異なる放射線変換器が表示されていれば（ステップＳ５ａ：ＹＥＳ）、ステップＳ８の処理に移行し、技師は、入力操作部１０８を入力操作して、現在の対応付けを、撮影室１８内の放射線変換器とコンソール２４と対応付けに変更する旨の情報を入力する。
【０１４６】
また、本実施形態に係る放射線画像撮影システム１０では、図１３及び図１４のフローチャートに代えて、図１５のフローチャートのように、複数の放射線変換器３８ａ〜３８ｃと複数のコンソール２４、２６、２８とがある場合に、複数の放射線変換器３８ａ〜３８ｃの中から１つの放射線変換器を選択し、複数のコンソール２４、２６、２８の中から１つのコンソールを選択し、選択した１つの放射線変換器と１つのコンソールとを対応付け、対応付けた１つの放射線変換器と１つのコンソールとを用いて放射線画像の撮影を行う場合にも適用することが可能である。
【０１４７】
すなわち、図１５のフローチャートを実行するためには、図８Ａ、図８Ｂ、図１０Ｂ及び図１２Ｂの例を適用すればよいが、ここでは、代表的に、図８Ａの例を適用した場合について説明する。
【０１４８】
ステップＳ２ｂにおいて、選択部８５は、異なる時間帯で放射線変換器３８ａ〜３８ｃにそれぞれ送信信号を送信し、一方で、送信信号に応じた受信信号をコンソール２４、２６、２８から受信する。選択部８５では、各送受信部９６からの受信信号の信号レベルの大きさ、該受信信号に応じた送信信号の信号レベルの大きさ、送信信号及び受信信号より得られる送受信部５８、９６間の伝送距離、送信信号及び受信信号より得られる送受信部５８、９６間の通信速度、各受信信号の信号レベルの時間変動、各送信信号の信号レベルの時間変動、送信信号及び受信信号より得られるＢＥＲのうち、少なくとも１つについて比較することにより、最適な無線通信が確立できる１つの放射線変換器と１つのコンソールとを探索（選択）する。
【０１４９】
１つの放射線変換器と１つのコンソールとを探索できた場合に（ステップＳ３ｂ：ＹＥＳ）、選択部８５は、１つの放射線変換器と１つのコンソールとの間で最適な無線通信が確立でき、且つ、１つの放射線変換器と１つのコンソールとが対応付けられたことを示す報知信号を放射線変換器３８ａ〜３８ｃ及びコンソール２４、２６、２８に送信する。放射線変換器３８ａ〜３８ｃ及びコンソール２４、２６、２８は、報知信号を受信することにより、選択部８５で対応付けられた１つの放射線変換器と１つのコンソールとを把握することができる。
【０１５０】
コンソール２４、２６、２８の制御部９８は、受信した報知信号に基づいて、１つの放射線変換器と１つのコンソールとの対応付けを示す情報を表示部１１０に表示させると共に（ステップＳ４ｂ）、オーダ情報記憶部１００に記憶されたオーダ情報及び撮影条件記憶部１０２に記憶された撮影条件を、前記対応付けに応じた内容にそれぞれ変更する。
【０１５１】
なお、ステップＳ３ｂにおいて、選択部８５は、前記１つの放射線変換器と前記１つのコンソールとを探索できない場合には（ステップＳ３ｂ：ＮＯ）、ステップＳ２ｂの処理を再度行う。
【０１５２】
また、ステップＳ５ｂにおいて、技師は、いずれか１つの表示部１１０の表示内容を視認する。この場合、表示されている１つの放射線変換器と１つのコンソールとの対応付けが、使用したい放射線変換器及びコンソールの表示であれば（ステップＳ５ｂ：ＮＯ）、図１３のステップＳ６以降の処理が行われる。
【０１５３】
一方、ステップＳ５ｂにおいて、表示部１１０の表示内容が、使用したい放射線変換器及びコンソールの表示ではない場合には（ステップＳ５ｂ：ＹＥＳ）、ステップＳ８の処理に移行し、技師は、入力操作部１０８を入力操作して、現在の対応付けを、使用したい放射線変換器とコンソールとの対応付けに変更する旨の情報を入力する。
【０１５４】
以上説明したように、本実施形態によれば、最適な通信状態にある１つの放射線変換器と１つの処理装置とを選択部８５、コンソール探索部９０（９０ａ〜９０ｃ）又は放射線変換器探索部９１が自動的に選択し、選択した１つの放射線変換器と１つのコンソールとを自動的に対応付けるので、技師による対応付けの作業が不要となり、該対応付けを効率よく行うことができる。
【０１５５】
この場合、最適な通信状態にある１つの放射線変換器と１つのコンソールとを選択するので、１つの放射線変換器と１つのコンソールとの間の通信状態が確保されて、放射線画像を安定に送受信することが可能となる。
【０１５６】
また、放射線変換器３８（３８ａ〜３８ｃ）は、外部との通信が可能な送受信部５８を有し、コンソール２４、２６、２８は、外部との通信が可能な送受信部９６を有し、コンソール探索部９０（９０ａ〜９０ｃ）又は放射線変換器探索部９１は、送受信部５８、９６間の通信状態が最適な１つの放射線変換器と１つのコンソールとを選択し、選択した１つの放射線変換器と１つのコンソールとを対応付けた結果を報知信号として送信（出力）する。
【０１５７】
これにより、放射線変換器３８（３８ａ〜３８ｃ）及びコンソール２４、２６、２８は、どの放射線変換器とコンソールとが対応付けられたのかを把握することができる。
【０１５８】
この場合、選択部８５は、放射線変換器３８（３８ａ〜３８ｃ）及びコンソール２４、２６、２８とは別体に設けられているので、上述した対応付け処理の際には、通信を割り振りするアクセスポイントとして機能し、この結果、対応付け処理の際に行われる放射線変換器３８（３８ａ〜３８ｃ）及びコンソール２４、２６、２８間での無線通信を効率よく行うことができる。また、放射線変換器３８（３８ａ〜３８ｃ）とは独立して選択部８５が設けられているので、放射線変換器３８（３８ａ〜３８ｃ）の小型化や低価格化を実現することも可能となる。
【０１５９】
複数の放射線変換器３８ａ〜３８ｃと複数のコンソール２４、２６、２８とがある場合、１つの放射線変換器３８（３８ａ〜３８ｃ）と複数のコンソール２４、２６、２８とがある場合、あるいは、複数の放射線変換器３８ａ〜３８ｃと１つのコンソール２４、２６、２８とがある場合において、選択部８５は、いずれの場合についても１つの放射線変換器と１つのコンソールとの対応付けを効率よく行うことができる。
【０１６０】
また、コンソール探索部９０（９０ａ〜９０ｃ）は、１つの放射線変換器３８（３８ａ〜３８ｃ）と複数のコンソール２４、２６、２８とがある場合での１つの放射線変換器と１つのコンソールとの対応付け処理に好適である。さらに、放射線変換器探索部９１は、複数の放射線変換器３８（３８ａ〜３８ｃ）と１つのコンソール２４（２６、２８）とがある場合での１つの放射線変換器と１つのコンソールとの対応付け処理に好適である。
【０１６１】
また、選択部８５、コンソール探索部９０（９０ａ〜９０ｃ）又は放射線変換器探索部９１は、送受信部５８、９６間で無線通信を行う際の送信信号の信号レベル、受信信号の信号レベル、伝送距離、通信速度、送信信号の信号レベルの時間変動、受信信号の信号レベルの時間変動及びＢＥＲのうちの少なくとも１つに基づいて、１つの放射線変換器と１つのコンソールとを選択するので、最適な通信状態にある１つの放射線変換器と１つのコンソールとを確実に選択することが可能となる。
【０１６２】
この場合、選択部８５、コンソール探索部９０（９０ａ〜９０ｃ）又は放射線変換器探索部９１は、送信信号の信号レベルの時間平均が最大となる通信状態、受信信号の信号レベルの時間平均が最大となる通信状態、伝送距離が最短の通信状態、通信速度が最速の通信状態、送信信号の信号レベルの時間変動が最小となる通信状態、受信信号の信号レベルの時間変動が最小となる通信状態及びＢＥＲが最も低い通信状態のうち少なくとも１つの通信状態での放射線変換器とコンソールとを、最適な通信状態にある１つの放射線変換器と１つのコンソールとして選択する。これにより、１つの放射線変換器と１つのコンソールとの選択を精度よく行うことができる。
【０１６３】
また、放射線変換器３８（３８ａ〜３８ｃ）は、該放射線変換器３８（３８ａ〜３８ｃ）を特定するＩＤ情報を保持するＩＤメモリ９４をさらに有し、送受信部５８は、ＩＤ情報及び放射線画像を外部に送信し、１つのコンソールは、受信したＩＤ情報が報知信号に示す１つの放射線変換器のＩＤ情報であれば、ＩＤ情報と共に受信した放射線画像を処理する。これにより、１つのコンソールでは、対応付けが取れた１つの放射線変換器から放射線画像に対する処理を確実に行うことができる。
【０１６４】
この場合、コンソール２４、２６、２８は、ＩＤ情報を登録するＩＤメモリ１０６を有し、１つのコンソールは、受信したＩＤ情報と、ＩＤメモリ１０６に登録された１つの放射線変換器のＩＤ情報とが一致する場合に、受信した放射線画像を処理する。これにより、１つのコンソールは、ＩＤ情報が一致すれば、対応付けが取れた１つの放射線変換器からの放射線画像と判断して、該放射線画像に対する画像処理を行い、一方で、ＩＤ情報が一致しなければ、対応付けが取れていない放射線変換器からの放射線画像であると判断して、該放射線画像に対する画像処理を行わない。この結果、放射線画像に対する画像処理を効率よく行うことができる。
【０１６５】
また、送受信部５８は、複数のコンソール２４、２６、２８との間で無線通信により信号の送受信を行うことが可能であるため、放射線変換器３８（３８ａ〜３８ｃ）とコンソール２４、２６、２８との間では、該信号を送受信するためのケーブルが連結されていない。そのため、例えば、撮影室１８、２０、２２の床面にこれらのケーブルが配設されることがなく、技師の作業に支障を来すおそれがない。従って、技師は、自己の作業を効率よく行うことが可能となる。また、前記無線通信をＵＷＢとすることで、従来の無線通信と比較して、消費電力の低減、耐フェージング性の向上及び高速通信化の向上を図ることができる。
【０１６６】
さらに、コンソール２４、２６、２８側で、１つの放射線変換器と１つのコンソールとの対応付けを、１つの放射線変換器と他の処理装置との対応付け、他の放射線変換器と１つの処理装置との対応付け、又は、他の放射線変換器と他の処理装置との対応付けに変更することが可能であるため、例えば、撮影室１８に放射線変換器３８を持ち込んだのに、コンソール２６又はコンソール２８と放射線変換器３８とが対応付けられている場合に、撮影室１８に接続されたコンソール２４と、該放射線変換器３８との対応付けに変更することができ、技師及び被写体３２の負担の軽減と、撮影に係る作業時間の短縮化と、撮影効率の向上とを一挙に達成することが可能となる。
【０１６７】
具体的に、コンソール２４、２６、２８では、表示部１１０が１つの放射線変換器と１つのコンソールとの対応付けの結果を外部に表示し、技師は、表示結果に基づいて、入力操作部１０８を入力操作する。これにより、１つの放射線変換器と１つのコンソールとの対応付けを、他の対応付けに容易に変更することができる。
【０１６８】
また、オーダ情報記憶部１００に記憶されたオーダ情報や、撮影条件記憶部１０２に記憶された撮影条件を、１つの放射線変換器と１つのコンソールとの対応付けの結果、あるいは、他の対応付けの変更結果に応じた内容に変更することで、被写体３２に対する撮影を正確に行うことが可能となる。さらに、表示部１１０は、別の対応付けの変更結果を表示することで、入力操作部１０８で入力操作された内容が確実に反映されているか否かを技師に報知することができる。
【０１６９】
なお、本実施形態は、上述した説明に限定されるものではなく、下記の構成に変更することが可能である。
【０１７０】
本実施形態は、上述のように、複数の放射線変換器３８（３８ａ〜３８ｃ）と複数のコンソール２４、２６、２８とがあった場合に、最適な通信状態にある１つの放射線変換器と１つのコンソールとを対応付けるものである（図８Ａ、図８Ｂ、図１０Ｂ及び図１２Ｂ参照）。
【０１７１】
上述の説明をさらに拡張して、複数の放射線変換器３８ａ〜３８ｃと複数のコンソール２４、２６、２８とがある場合に、これらの放射線変換器３８ａ〜３８ｃ及びコンソール２４、２６、２８を通信状態が良い順に優先順位を付けて対応付けることも可能である。
【０１７２】
すなわち、選択部８５、コンソール探索部９０ａ〜９０ｃ又は放射線変換器探索部９１は、各送受信部５８、９６間で、通信状態が良い順に優先順位を付けて、送受信部５８、９６を対応付け、対応付けた結果を報知信号として放射線画像撮影システム１０内の各放射線変換器３８ａ〜３８ｃ及び各コンソール２４、２６、２８に送信する。また、送受信部５８、９６間で、前記報知信号の示す優先順位に従って通信が行われる場合に、所望の優先順位で対応付けられた送受信部５８又は送受信部９６が通信中であれば、前記優先順位よりも下位の順位で対応付けられた送受信部５８又は送受信部９６との間で通信を行う。
【０１７３】
ここで、優先順位を付けた対応付けについて具体的に説明する。
【０１７４】
複数の放射線変換器３８ａ〜３８ｃと、複数のコンソール２４、２６、２８とがある場合に、選択部８５、コンソール探索部９０ａ〜９０ｃ又は放射線変換器探索部９１は、例えば、１つの放射線変換器３８ａとコンソール２４、２６、２８との対応付けを通信状態の良い順に従って行う。
【０１７５】
具体的に、放射線変換器３８ａとコンソール２４との通信状態が最も良好で、放射線変換器３８ａとコンソール２６との通信状態が次に良好で、放射線変換器３８ａとコンソール２８との通信状態が相対的に悪い場合に、選択部８５、コンソール探索部９０ａ〜９０ｃ又は放射線変換器探索部９１は、放射線変換器３８ａとコンソール２４、放射線変換器３８ａとコンソール２６、放射線変換器３８ａとコンソール２８の順で、通信状態が良好な順（優先順位）を決定する。
【０１７６】
そして、選択部８５、コンソール探索部９０ａ〜９０ｃ又は放射線変換器探索部９１は、決定した優先順位に従って、放射線変換器３８ａとコンソール２４、放射線変換器３８ａとコンソール２６、放射線変換器３８ａとコンソール２６を対応付け、対応付けを行った結果を報知信号として生成する。従って、放射線変換器３８ａは、前記報知信号の示す優先順位に従って、通信状態が最も良好なコンソール２４との間で通信を行うことが可能となる。
【０１７７】
なお、放射線変換器３８ｂとコンソール２４、２６、２８との対応付け（優先順位の決定方法）、放射線変換器３８ｃとコンソール２４、２６、２８との対応付け、コンソール２４と放射線変換器３８ａ〜３８ｃとの対応付け、コンソール２６と放射線変換器３８ａ〜３８ｃとの対応付け、コンソール２８と放射線変換器３８ａ〜３８ｃとの対応付けについても、同様にして行うことが可能である。また、優先順位の決定の基準となる通信状態については、前述した受信信号の信号レベルの大きさ、送受信部５８、９６間の伝送距離、送受信部５８、９６間の通信速度、符号誤り率（ＢＥＲ）を調べることで把握することができる。
【０１７８】
このように、選択部８５、コンソール探索部９０ａ〜９０ｃ又は放射線変換器探索部９１が、通信状態の良い順に、複数の放射線変換器３８ａ〜３８ｃと複数のコンソール２４、２６、２８との対応付けを優先順位を付けて行うので、技師による対応付けの作業が不要となり、該対応付けを効率よく行うことができる。
【０１７９】
また、通信状態の良い順に優先順位を付けて対応付けを行うので、各放射線変換器３８ａ〜３８ｃと各コンソール２４、２６、２８との間の通信状態が確保されて、放射線画像を安定に送受信することが可能となる。
【０１８０】
次に、所望の優先順位の送受信部５８又は送受信部９６が通信中であるときに、該優先順位よりも下位の順位で対応付けられた送受信部５８又は送受信部９６との間で通信を行う場合について説明する。
【０１８１】
例えば、放射線変換器３８ａとコンソール２４、２６、２８との対応付けの優先順位が、放射線変換器３８ａとコンソール２４、放射線変換器３８ａとコンソール２６、放射線変換器３８ａとコンソール２８の順であり、一方で、放射線変換器３８ｂとコンソール２４、２６、２８との対応付けの優先順位が、放射線変換器３８ｂとコンソール２４、放射線変換器３８ｂとコンソール２６、放射線変換器３８ｂとコンソール２８の順であったとする。従って、放射線変換器３８ａ、３８ｂにとって、優先順位が最も高い対応付けの（通信状態が最も良好な）コンソールは、いずれも、コンソール２４である。
【０１８２】
ここで、放射線変換器３８ａとコンソール２４とが通信中である場合に、放射線変換器３８ｂが、優先順位の高い対応付けであるコンソール２４との通信を行うと、放射線変換器３８ａとコンソール２４との間での通信速度の低下を招くおそれがある。このような状態で、放射線変換器３８ｂとコンソール２４との間で通信を行っても、放射線変換器３８ｂとコンソール２４との間では、期待する程の通信速度を得られない可能性がある。そこで、放射線変換器３８ｂは、コンソール２４との通信を諦めて、次に優先順位の高いコンソール２６との間で通信を行う。
【０１８３】
このように、優先順位を付けた対応付けを示す報知信号を、選択部８５、コンソール探索部９０ａ〜９０ｃ又は放射線変換器探索部９１から各放射線変換器３８ａ〜３８ｃ及び各コンソール２４、２６、２８に予め送信しておけば、各放射線変換器３８ａ〜３８ｃ及び各コンソール２４、２６、２８は、優先順位に従って、相手先の通信状態を見ながら、他の組み合わせでの通信状態を損なうことなく、現時点において、新たな組み合わせにとって通信速度が最も高速となる相手先を選択可能であるため、放射線画像等の通信を一層安定的に行うことができる。
【０１８４】
なお、ここでは、一例として、放射線変換器３８ａ、３８ｂ側から見た、放射線変換器３８ａ、３８ｂとコンソール２４、２６との間での通信について説明したが、この例に限定されることはなく、他の放射線変換器と他のコンソールとの間においても、同様にして実施することが可能であることは勿論である。
【０１８５】
また、本実施形態では、放射線変換器３８とコンソール２４、２６、２８との間での無線通信による信号の送受信に代えて、有線通信により信号の送受信を行っても、１つのコンソールを選択して放射線変換器３８と対応付けることによる上述した各効果が得られる。
【０１８６】
また、本実施形態では、送受信部５８、９６をＵＷＢによる短距離レーダとして利用し、あるいは、無線ＬＡＮによる位置検知機構として利用した場合も説明したが、送受信部５８、９６とは別体で、上述の機能を有するＵＷＢの短距離レーダ又は無線ＬＡＮの位置検知機構を設けても、上述した各効果が容易に得られる。さらに、選択部８５において、例えば、スペクトラムアナライザを使用して、受信信号を周波数方向にスイープし、その信号レベルを精密に測定することで、１つの放射線変換器や１つのコンソールをより正確に選択することもできる。
【０１８７】
さらに、本実施形態は、上述した撮影室１８、２０、２２内での撮影に限られるものではなく、例えば、手術室での手術、検診、あるいは、病院内での回診に適用することも可能である。
【０１８８】
さらにまた、放射線変換器３８とコンソール２４、２６、２８との無線通信を、赤外線等を用いた光無線通信としても、上述した各効果が容易に得られることは勿論である。
【０１８９】
また、放射線変換器３８についても、入射した放射線３６をシンチレータによって一旦可視光に変換した後、この可視光をアモルファスシリコン（ａ−Ｓｉ）等の固体検出素子を用いて電気信号に変換するように構成した間接変換方式の放射線変換器としてもよい（特許第３４９４６８３号公報参照）。
【０１９０】
また、放射線変換器３８は、光読出方式の放射線変換パネルを利用しても放射線画像を取得することができる。この光読出方式の放射線変換パネルでは、マトリクス状に配列された各固体検出素子に放射線３６が入射すると、その線量に応じた静電潜像が固体検出素子に蓄積記録される。静電潜像を読み取る際には、放射線変換パネルに読取光を照射し、発生した電流の値を放射線画像として取得する。なお、放射線変換パネルは、消去光を放射線変換パネルに照射することで、残存する静電潜像である放射線画像を消去して再使用することができる（特開２０００−１０５２９７号公報参照）。
【０１９１】
なお、本発明は、上述した実施形態に限定されるものではなく、本発明の要旨を逸脱しない範囲で種々の変更が可能であることは勿論である。
【符号の説明】
【０１９２】
１０…放射線画像撮影システム
１２…ＨＩＳ
１４…ＲＩＳ
１６…ビューア
１８、２０、２２…撮影室
２４、２６、２８…コンソール
３０…院内ネットワーク
３２…被写体
３４…撮影装置
３８、３８ａ〜３８ｃ…放射線変換器
４４…放射線発生装置
５０…放射線変換パネル
５６…制御部
５８、９６…送受信部
８５…選択部
８７…放射線源
９０、９０ａ〜９０ｃ…コンソール探索部
９１…放射線変換器探索部
９２…画像メモリ
９４、１０６…ＩＤメモリ
１００…オーダ情報記憶部
１０２…撮影条件記憶部
１０４…画像処理部
１０８…入力操作部
１１０…表示部
【図１】
2010240381.tif 000003
【図２】
2010240381.tif 000004
【図３】
2010240381.tif 000005
【図４】
2010240381.tif 000006
【図５】
2010240381.tif 000007
【図６】
2010240381.tif 000008
【図７】
2010240381.tif 000009
【図８】
2010240381.tif 000010
【図９】
2010240381.tif 000011
【図１０】
2010240381.tif 000012
【図１１】
2010240381.tif 000013
【図１２】
2010240381.tif 000014
【図１３】
2010240381.tif 000015
【図１４】
2010240381.tif 000016
【図１５】
2010240381.tif 000017